(57)【要約】本明細書は、多数のコンポーネントキャリア（Component Carrier：ＣＣ）を使用する無線通信システムにおいて、物理ダウンリンク制御チャンネル（Physical Downlink Control Channel：ＰＤＣＣＨ）のダウンリンク制御情報（Downlink Control information：ＤＣＩ）フォーマット（format）を通じて各々のコンポーネントキャリアにダウンリンク割当（Downlink assignments）及びアップリンク承認（Uplink grants）などの制御情報を転送するに当たって、各ＤＣＩフォーマットが伝達する上記制御情報が各コンポーネントキャリアのうちのどのコンポーネントキャリアのためのものであるかを追加的なコンポーネントキャリア指示子（Component Carrier Indicator：CC Indicator）を通じて識別するために、ＤＣＩフォーマットのためのＣＣ指示子を構成する方法及び転送する方法に関して開示している。【選択図】図３
2013507821.tif 000002
【特許請求の範囲】
【請求項１】
２つ以上のコンポーネントキャリアを使用する無線通信システムにおける制御情報送信方法であって、
特定制御情報が前記コンポーネントキャリアのうちのどのコンポーネントキャリアのためのものであるかを識別する０ビットまたはｍビット（ｍは０より大きい整数）の識別情報を生成し、
前記生成された識別情報を前記特定制御情報に追加し、
前記特定制御情報を制御チャンネルを介して転送する
ことを含む制御情報送信方法。
【請求項２】
前記識別情報を生成することは、
前記特定制御情報に追加される識別情報が存在しないことを示すために、前記識別情報のビット数を０ビットに設定することを含み、
前記０ビットの識別情報は、前記特定制御情報が前記２つ以上のコンポーネントキャリアのうちの特定基準コンポーネントキャリアのための制御情報を識別するための識別情報である請求項１に記載の制御情報送信方法。
【請求項３】
前記識別情報を生成することは、
前記特定制御情報に追加される識別情報が存在することを示すために、前記識別情報のビット数をｍビットに設定することを含み、
前記ｍビットの識別情報は、前記特定制御情報が前記２つ以上のコンポーネントキャリアのうちの、特定基準コンポーネントキャリアの以外の少なくとも１つ以上の他のコンポーネントキャリアのための制御情報を識別するための識別情報である請求項１に記載の制御情報送信方法。
【請求項４】
前記識別情報のビット数が１ビットである場合、前記識別情報は、前記特定制御情報が前記２つ以上のコンポーネントキャリアのうちの、特定基準コンポーネントキャリアの以外の他の２つ以下のコンポーネントキャリアに対する制御情報を識別するための識別情報である請求項３に記載の制御情報送信方法。
【請求項５】
前記識別情報のビット数が２ビットである場合、前記識別情報は、前記特定制御情報が前記２つ以上のコンポーネントキャリアのうちの、特定基準コンポーネントキャリアの以外の他の４個以下のコンポーネントキャリアに対する制御情報を識別するための識別情報である請求項３に記載の制御情報送信方法。
【請求項６】
前記識別情報のビット数が３ビットである場合、前記識別情報は、前記特定制御情報が前記２つ以上のコンポーネントキャリアのうちの、特定基準コンポーネントキャリアの以外の他の８個以下のコンポーネントキャリアに対する制御情報を識別するための識別情報である請求項３に記載の制御情報送信方法。
【請求項７】
前記特定基準コンポーネントキャリアのための識別情報のコンポーネントキャリア指示子を０にマッピングし、
前記特定基準コンポーネントキャリアの以外の４個以下のコンポーネントキャリアのための識別情報のコンポーネントキャリア指示子を、前記２ビットを用いて、１、２、３、４のうちの少なくとも１つにマッピングすること
をさらに含む請求項５に記載の制御情報送信方法。
【請求項８】
前記特定基準コンポーネントキャリアのための識別情報のコンポーネントキャリア指示子を０にマッピングし、
前記特定基準コンポーネントキャリアの以外の８個以下のコンポーネントキャリアのための識別情報のコンポーネントキャリア指示子を、前記３ビットを用いて、１、２、３、４、５、６、７、８のうちの少なくとも１つにマッピングすること
をさらに含む請求項６に記載の制御情報送信方法。
【請求項９】
前記特定基準コンポーネントキャリアは、
主サービングセル（ＰＣｅｌｌ）を構成するコンポーネントキャリアであるＰＣＣを含む請求項２に記載の制御情報送信方法。
【請求項１０】
前記特定基準コンポーネントキャリアの以外の他のコンポーネントキャリアは、
副サービングセル（ＳＣｅｌｌ）を構成するコンポーネントキャリアである副コンポーネントキャリア（ＳＣＣ）を含む請求項３に記載の制御情報送信方法。
【請求項１１】
前記主サービングセルのための識別情報のセルインデックスを０にマッピングし、
前記主サービングセルの以外の４個以下の副サービングセルのための識別情報のセルインデックスを、前記２ビットを用いて、１、２、３、４のうちの少なくとも１つにマッピングすること
をさらに含むことを特徴とする、請求項９に記載の制御情報送信方法。
【請求項１２】
前記主サービングセルのための識別情報のセルインデックスを０にマッピングし、
前記主サービングセルの以外の８個以下の副サービングセルのための識別情報のセルインデックスを、前記３ビットを用いて、１、２、３、４、５、６、７、８のうちの少なくとも１つにマッピングすること
をさらに含むことを特徴とする、請求項９に記載の制御情報送信方法。
【請求項１３】
前記主サービングセルを構成するコンポーネントキャリアを示す識別情報のセルインデックスと前記副サービングセルを構成するコンポーネントキャリアを示す識別情報のセルインデックスとの間のマッピングの情報を、ブロードキャスティングチャンネルを介して転送することをさらに含む請求項１１に記載の制御情報送信方法。
【請求項１４】
前記主サービングセルを構成するコンポーネントキャリアを示す識別情報のセルインデックスと前記副サービングセルを構成するコンポーネントキャリアを示す識別情報のセルインデックスとの間のマッピングの情報を、ブロードキャスティングチャンネルを介して転送することをさらに含む請求項１２に記載の制御情報送信方法。
【請求項１５】
前記主サービングセルを構成するコンポーネントキャリアを示す識別情報のセルインデックスと前記副サービングセルを構成するコンポーネントキャリアを示す識別情報のセルインデックスとの間のマッピングの情報を、無線資源制御（ＲＲＣ）メッセージを通じて転送することをさらに含む請求項１３に記載の制御情報送信方法。
【請求項１６】
前記主サービングセルを構成するコンポーネントキャリアを示す識別情報のセルインデックスと前記副サービングセルを構成するコンポーネントキャリアを示す識別情報のセルインデックスとの間のマッピングの情報を、無線資源制御（ＲＲＣ）メッセージを通じて転送することをさらに含む請求項１４に記載の制御情報送信方法。
【請求項１７】
前記識別情報は、ダウンリンク制御情報（Downlink Control Information：ＤＣＩ）フォーマット（format）内に追加ビットとして構成されて、物理ダウンリンク制御チャンネル（ＰＤＣＣＨ）を介して転送される請求項１に記載の制御情報送信方法。
【請求項１８】
前記識別情報は、前記物理ダウンリンク制御チャンネルが存在する特定基準コンポーネントキャリア、またはアンカーコンポーネントキャリア（anchor CC）のうち、いずれか１つを通じて転送される請求項１７に記載の制御情報送信方法。
【請求項１９】
２つ以上のコンポーネントキャリアを使用する無線通信システムにおける制御情報送信装置であって、
特定制御情報が対応するコンポーネントキャリアを前記２つ以上のコンポーネントキャリアの中から識別し、前記コンポーネントキャリアを示す０ビットまたはｍビット（ｍは０より大きい整数）の識別情報を生成し、生成された識別情報を前記特定制御情報に追加する制御部と、
前記特定制御情報を制御チャンネルを介して送信する送信部と、
を含む制御情報送信装置。
【請求項２０】
前記制御部は、
前記特定制御情報が、前記２つ以上のコンポーネントキャリアのうち、特定基準コンポーネントキャリアのための制御情報であることを識別し、前記特定制御情報に追加される識別情報が存在しないことを示すために、前記識別情報のビット数を０ビットに設定する請求項１９に記載の制御情報送信装置。
【請求項２１】
前記制御部は、
前記特定制御情報が、前記２つ以上のコンポーネントキャリアのうち、前記特定基準コンポーネントキャリアの以外の他のコンポーネントキャリアのための制御情報であることを識別し、前記特定制御情報に追加される識別情報が存在することを示すために、前記識別情報のビット数をｍビットに設定する請求項１９に記載の制御情報送信装置。
【請求項２２】
前記制御部は、
前記特定制御情報が、前記２つ以上のコンポーネントキャリアのうちの、特定基準コンポーネントキャリアの以外の２つ以下のコンポーネントキャリアに対する制御情報であることを識別し、前記識別情報のビット数を１ビットに設定する請求項２１に記載の制御情報送信装置。
【請求項２３】
前記制御部は、
前記特定制御情報が、前記２つ以上のコンポーネントキャリアのうちの、特定基準コンポーネントキャリアの以外の４個以下のコンポーネントキャリアに対する制御情報であることを識別し、前記識別情報のビット数を２ビットに設定する請求項２１に記載の制御情報送信装置。
【請求項２４】
前記制御部は、
前記特定制御情報が、前記２つ以上のコンポーネントキャリアのうちの、特定基準コンポーネントキャリアの以外の８個以下のコンポーネントキャリアに対する制御情報であることを識別し、前記識別情報のビット数を３ビットに設定する請求項２１に記載の制御情報送信装置。
【請求項２５】
前記制御部は、
前記特定基準コンポーネントキャリアのための識別情報のコンポーネントキャリア指示子を０にマッピングし、
前記特定基準コンポーネントキャリアの以外の４個以下のコンポーネントキャリアのための識別情報のコンポーネントキャリア指示子を、前記２ビットを用いて、１、２、３、４のうちの少なくとも１つにマッピングする請求項２３に記載の制御情報送信装置。
【請求項２６】
前記制御部は、
前記特定基準コンポーネントキャリアのための識別情報のコンポーネントキャリア指示子を０にマッピングし、
前記特定基準コンポーネントキャリアの以外の８個以下のコンポーネントキャリアのための識別情報のコンポーネントキャリア指示子を、前記３ビットを用いて、１、２、３、４、５、６、７、８のうちの少なくとも１つにマッピングする請求項２４に記載の制御情報送信装置。
【請求項２７】
前記特定基準コンポーネントキャリアは、
主サービングセル（ＰＣｅｌｌ）を構成するコンポーネントキャリアであるＰＣＣを含む請求項２０に記載の制御情報送信装置。
【請求項２８】
前記特定基準コンポーネントキャリアの以外の他のコンポーネントキャリアは、
副サービングセル（ＳＣｅｌｌ）を構成するコンポーネントキャリアである副コンポーネントキャリア（ＳＣＣ）を含む請求項２１に記載の制御情報送信装置。
【請求項２９】
前記制御部は、
前記主サービングセルのための識別情報のセルインデックスを０にマッピングし、
前記主サービングセルの以外の４個以下の副サービングセルのための識別情報のセルインデックスを前記２ビットを用いて、１、２、３、４のうちの少なくとも１つにマッピングする請求項２７に記載の制御情報送信装置。
【請求項３０】
前記制御部は、
前記主サービングセルのための識別情報のセルインデックスを０にマッピングし、
前記主サービングセルの以外の８個以下の副サービングセルのための識別情報のセルインデックスを前記３ビットを用いて、１、２、３、４、５、６、７、８のうちの少なくとも１つにマッピングする請求項２７に記載の制御情報送信装置。
【請求項３１】
前記送信部は、
前記制御部により生成された主サービングセルを構成するコンポーネントキャリアを示す識別情報のセルインデックスと副サービングセルを構成するコンポーネントキャリアを示す識別情報のセルインデックスとの間のマッピングの情報を、ブロードキャスティングチャンネルを介して転送する請求項１９に記載の制御情報送信装置。
【請求項３２】
前記送信部は、
前記制御部により生成された主サービングセルを構成するコンポーネントキャリアを示す識別情報のセルインデックスと副サービングセルを構成するコンポーネントキャリアを示す識別情報のセルインデックスとの間のマッピングの情報を、無線資源制御（ＲＲＣ）メッセージを通じて転送する請求項１９に記載の制御情報送信装置。
【請求項３３】
前記送信部は、
前記制御部により生成された識別情報をダウンリンク制御情報（Downlink Control Information：ＤＣＩ）フォーマット（format）内に追加ビットとして構成して物理ダウンリンク制御チャンネル（ＰＤＣＣＨ）を介して転送する請求項１９に記載の制御情報送信装置。
【請求項３４】
前記送信部は、
前記制御部により生成された前記識別情報を、前記物理ダウンリンク制御チャンネルが存在する特定基準コンポーネントキャリアまたはアンカーコンポーネントキャリア（anchor CC）のうちのいずれか１つを通じて転送する請求項１９に記載の制御情報送信装置。
【請求項３５】
記識別情報または前記識別情報のビットにより指示されるコンポーネントキャリアを格納するコンポーネントキャリア識別情報格納部をさらに含む請求項１９に記載の制御情報送信装置。
【請求項３６】
２つ以上のコンポーネントキャリアを使用する無線通信システムにおける制御情報受信方法であって、
制御チャンネルを介して受信された特定制御情報に追加されている０ビットまたはｍビット（ｍは０より大きい整数）の識別情報を抽出し、
前記０ビットまたはｍビットの識別情報を用いて、前記特定制御情報が対応するコンポーネントキャリアを前記２つ以上のコンポーネントキャリアの中から識別する制御情報受信方法。
【請求項３７】
前記識別情報を抽出することは、
前記０ビットの識別情報を確認し、
前記確認した０ビットの識別情報を通じて、前記特定制御情報に追加される識別情報が存在しないことを確認し、
前記特定制御情報が、前記２つ以上のコンポーネントキャリアのうち、特定基準コンポーネントキャリアのための制御情報であることを確認すること
を含む請求項３６に記載の制御情報受信方法。
【請求項３８】
前記識別情報を抽出することは、
前記ｍビットの識別情報を確認し、
前記確認したｍビットの識別情報を通じて、前記特定制御情報に追加される識別情報が存在することを確認し、
前記特定制御情報が、前記２つ以上のコンポーネントキャリアのうち、特定基準コンポーネントキャリアの以外の少なくとも１つ以上のコンポーネントキャリアのための制御情報であることを確認すること
を含む請求項３６に記載の制御情報受信方法。
【請求項３９】
前記識別情報のビット数が１ビットである場合、前記識別情報は、前記特定制御情報が前記２つ以上のコンポーネントキャリアのうちの、特定基準コンポーネントキャリアの以外の他の２つ以下のコンポーネントキャリアに対する制御情報であることを示す請求項３８に記載の制御情報受信方法。
【請求項４０】
前記識別情報のビット数が２ビットである場合、前記識別情報は、前記特定制御情報が前記２つ以上のコンポーネントキャリアのうちの、特定基準コンポーネントキャリア以外の４個以下のコンポーネントキャリアに対する制御情報であることを示す請求項３８に記載の制御情報受信方法。
【請求項４１】
前記識別情報のビット数が３ビットである場合、前記識別情報は、前記特定制御情報が前記２つ以上のコンポーネントキャリアのうちの、特定基準コンポーネントキャリア以外の８個以下のコンポーネントキャリアに対する制御情報であることを示す請求項３８に記載の制御情報受信方法。
【請求項４２】
前記特定基準コンポーネントキャリアのための識別情報のコンポーネントキャリア指示子が０にマッピングされることを確認し、
前記２ビットを用いて前記特定基準コンポーネントキャリア以外の４個以下のコンポーネントキャリアのための識別情報のコンポーネントキャリア指示子が、１、２、３、４のうちの少なくとも１つにマッピングされることを確認すること
をさらに含む請求項４０に記載の制御情報受信方法。
【請求項４３】
前記特定基準コンポーネントキャリアのための識別情報のコンポーネントキャリア指示子が０にマッピングされることを確認し、
前記３ビットを用いて前記特定基準コンポーネントキャリアの以外の８個以下のコンポーネントキャリアのための識別情報のコンポーネントキャリア指示子が１、２、３、４、５、６、７、８のうちの少なくとも１つにマッピングされることを確認すること
をさらに含む請求項４１に記載の制御情報受信方法。
【請求項４４】
前記特定基準コンポーネントキャリアは、
主サービングセル（ＰＣｅｌｌ）を構成するコンポーネントキャリアであるＰＣＣを含む請求項３７に記載の制御情報受信方法。
【請求項４５】
前記特定基準コンポーネントキャリアの以外の他のコンポーネントキャリアは、
副サービングセル（ＳＣｅｌｌ）を構成するコンポーネントキャリアである副コンポーネントキャリア（ＳＣＣ）を含む請求項３８に記載の制御情報受信方法。
【請求項４６】
前記主サービングセルのための識別情報のセルインデックスが０にマッピングされることを確認し、
前記２ビットを用いて前記主サービングセル以外の４個以下の副サービングセルのための識別情報のセルインデックスが１、２、３、４のうちの少なくとも１つにマッピングされることを確認すること
をさらに含む請求項４４に記載の制御情報受信方法。
【請求項４７】
前記主サービングセルのための識別情報のセルインデックスが０にマッピングされることを確認し、
前記３ビットを用いて前記主サービングセル以外の８個以下の副サービングセルのための識別情報のセルインデックスが１、２、３、４、５、６、７、８のうちの少なくとも１つにマッピングされることを確認すること
をさらに含む請求項４４に記載の制御情報受信方法。
【請求項４８】
前記主サービングセルを構成するコンポーネントキャリアを示す識別情報のセルインデックスと前記副サービングセルを構成するコンポーネントキャリアを示す識別情報のセルインデックスとの間のマッピングの情報を、ブロードキャスティングチャンネルを介して受信することをさらに含む請求項４６に記載の制御情報受信方法。
【請求項４９】
前記主サービングセルを構成するコンポーネントキャリアを示す識別情報のセルインデックスと前記副サービングセルを構成するコンポーネントキャリアを示す識別情報のセルインデックスとの間のマッピングの情報を、ブロードキャスティングチャンネルを介して受信することをさらに含む請求項４７に記載の制御情報受信方法。
【請求項５０】
前記主サービングセルを構成するコンポーネントキャリアを示す識別情報のセルインデックスと前記副サービングセルを構成するコンポーネントキャリアを示す識別情報のセルインデックスとの間のマッピングの情報を、無線資源制御（ＲＲＣ）メッセージを通じて受信することをさらに含む請求項４８に記載の制御情報受信方法。
【請求項５１】
前記主サービングセルを構成するコンポーネントキャリアを示す識別情報のセルインデックスと前記副サービングセルを構成するコンポーネントキャリアを示す識別情報のセルインデックスとの間のマッピングの情報を、無線資源制御（ＲＲＣ）メッセージを通じて受信することをさらに含む請求項４９に記載の制御情報受信方法。
【請求項５２】
物理ダウンリンク制御チャンネル（ＰＤＣＣＨ）を受信し、
前記物理ダウンリンク制御チャンネル（ＰＤＣＣＨ）のダウンリンク制御情報（Downlink Control Information：ＤＣＩ）フォーマット（format）内に追加ビットとして構成されている前記識別情報を抽出すること
を含む請求項３６に記載の制御情報受信方法。
【請求項５３】
前記識別情報は、前記物理ダウンリンク制御チャンネルが存在する特定基準コンポーネントキャリア、またはアンカーコンポーネントキャリア（anchor CC）のうち、いずれか１つを通じて受信される請求項５２に記載の制御情報受信方法。
【請求項５４】
２つ以上のコンポーネントキャリアを使用する無線通信システムにおける制御情報受信装置であって、
受信した変調シンボルを復調して制御チャンネルにマッピングされた特定制御情報を抽出する復調部と、
前記特定制御情報に追加されている０ビットまたはｍビット（ｍは０より大きい整数）の識別情報を抽出し、前記０ビットまたはｍビットの識別情報を用いて前記特定制御情報が対応するコンポーネントキャリアを前記２つ以上のコンポーネントキャリアの中から識別する制御部と、
を含む制御情報受信装置。
【請求項５５】
前記制御部は、
前記０ビットの識別情報を確認し、
前記確認した０ビットの識別情報を通じて、前記特定制御情報に追加される識別情報が存在しないことを確認し、
前記特定制御情報が、前記２つ以上のコンポーネントキャリアのうち、特定基準コンポーネントキャリアのための制御情報であることを識別する請求項５４に記載の制御情報受信装置。
【請求項５６】
前記制御部は、
前記ｍビットの識別情報を確認し、
前記確認したｍビットの識別情報を通じて、前記特定制御情報に追加される識別情報が存在することを確認し、
前記特定制御情報が、前記２つ以上のコンポーネントキャリアのうち、特定基準コンポーネントキャリアの以外の少なくとも１つ以上のコンポーネントキャリアのための制御情報であることを識別する請求項５４に記載の制御情報受信装置。
【請求項５７】
前記識別情報のビット数が１ビットである場合、前記制御部は、前記特定制御情報が前記２つ以上のコンポーネントキャリアのうちの、特定基準コンポーネントキャリア以外の２つ以下のコンポーネントキャリアに対する制御情報であることを識別する請求項５６に記載の制御情報受信装置。
【請求項５８】
前記識別情報のビット数が２ビットである場合、前記制御部は、前記特定制御情報が前記コンポーネントキャリアのうち、特定基準コンポーネントキャリア以外の４個以下のコンポーネントキャリアに対する制御情報であることを識別する請求項５６に記載の制御情報受信装置。
【請求項５９】
前記識別情報のビット数が３ビットである場合、前記制御部は、前記特定制御情報が前記２つ以上のコンポーネントキャリアのうちの、特定基準コンポーネントキャリア以外の８個以下のコンポーネントキャリアに対する制御情報であることを識別する請求項５６に記載の制御情報受信装置。
【請求項６０】
前記制御部は、前記特定基準コンポーネントキャリアのための識別情報のコンポーネントキャリア指示子が０にマッピングされることを確認し、
前記２ビットを用いて前記特定基準コンポーネントキャリア以外の４個以下のコンポーネントキャリアのための識別情報のコンポーネントキャリア指示子が１、２、３、４のうちの少なくとも１つにマッピングされることを確認する請求項５８に記載の制御情報受信装置。
【請求項６１】
前記制御部は、前記特定基準コンポーネントキャリアのための識別情報のコンポーネントキャリア指示子が０にマッピングされることを確認し、
前記３ビットを用いて前記特定基準コンポーネントキャリア以外の８個以下のコンポーネントキャリアのための識別情報のコンポーネントキャリア指示子が１、２、３、４、５、６、７、８のうちの少なくとも１つにマッピングされることを確認する請求項５９に記載の制御情報受信装置。
【請求項６２】
前記特定基準コンポーネントキャリアは、
主サービングセル（ＰＣｅｌｌ）を構成するコンポーネントキャリアであるＰＣＣを含む請求項５５に記載の制御情報受信装置。
【請求項６３】
前記特定基準コンポーネントキャリア以外のコンポーネントキャリアは、
副サービングセル（ＳＣｅｌｌ）を構成するコンポーネントキャリアである副コンポーネントキャリア（ＳＣＣ）を含む請求項５６に記載の制御情報受信装置。
【請求項６４】
前記制御部は、前記主サービングセルのための識別情報のセルインデックスが０にマッピングされることを確認し、
前記２ビットを用いて前記主サービングセル以外の４個以下の副サービングセルのための識別情報のセルインデックスが１、２、３、４のうちの少なくとも１つにマッピングされることを確認する請求項６２に記載の制御情報受信装置。
【請求項６５】
前記制御部は、前記主サービングセルのための識別情報のセルインデックスが０にマッピングされることを確認し、
前記３ビットを用いて前記主サービングセル以外の８個以下の副サービングセルのための識別情報のセルインデックスが１、２、３、４、５、６、７、８のうちの少なくとも１つにマッピングされることを確認する請求項６２に記載の制御情報受信装置。
【請求項６６】
前記主サービングセルを構成するコンポーネントキャリアを示す識別情報のセルインデックスと前記副サービングセルを構成するコンポーネントキャリアを示す識別情報のセルインデックスとの間のマッピングの情報を、ブロードキャスティングチャンネルを介して受信する受信部を更に含む請求項６４に記載の制御情報受信装置。
【請求項６７】
前記主サービングセルを構成するコンポーネントキャリアを示す識別情報のセルインデックスと前記副サービングセルを構成するコンポーネントキャリアを示す識別情報のセルインデックスとの間のマッピングを、ブロードキャスティングチャンネルを介して受信する受信部を更に含む請求項６５に記載の制御情報受信装置。
【請求項６８】
前記主サービングセルを構成するコンポーネントキャリアを示す識別情報のセルインデックスと前記副サービングセルを構成するコンポーネントキャリアを示す識別情報のセルインデックスとの間のマッピングの情報を、無線資源制御（ＲＲＣ）メッセージを通じて受信する受信部を更に含む請求項６６に記載の制御情報受信装置。
【請求項６９】
前記主サービングセルを構成するコンポーネントキャリアを示す識別情報のセルインデックスと前記副サービングセルを構成するコンポーネントキャリアを示す識別情報のセルインデックスとの間のマッピングの情報を、無線資源制御（ＲＲＣ）メッセージを通じて受信する受信部を更に含む請求項６７に記載の制御情報受信装置。
【請求項７０】
物理ダウンリンク制御チャンネル（ＰＤＣＣＨ）を受信し、
前記物理ダウンリンク制御チャンネル（ＰＤＣＣＨ）のダウンリンク制御情報（Downlink Control Information：ＤＣＩ）フォーマット（format）内に追加ビットとして構成されている前記識別情報を抽出する請求項５４に記載の制御情報受信装置。
【請求項７１】
前記識別情報は、前記物理ダウンリンク制御チャンネルが存在する特定基準コンポーネントキャリアまたはアンカーコンポーネントキャリア（anchor CC）のうち、いずれか１つを通じて受信される請求項７０に記載の制御情報受信装置。
【発明の詳細な説明】
【技術分野】
【０００１】
本明細書は、無線通信システムにおけるコンポーネントキャリアに対する制御情報を転送する方法及び装置に関する。
【背景技術】
【０００２】
無線通信システムにおいて、ダウンリンク割当（Downlink assignments）及びアップリンク承認（Uplink grants）などの制御情報は、物理ダウンリンク制御チャンネル（ＰＤＣＣＨ）のダウンリンク制御情報（ＤＣＩ）フォーマットを通じて転送される。
【発明の概要】
【発明が解決しようとする課題】
【０００３】
本発明の目的は、多数のコンポーネントキャリア（ＣＣ）を使用する無線通信システムにおいて、効率的かつ効果的に、各コンポーネントキャリア（ＣＣ）別に基地局及びユーザ装置（User Equipment：ＵＥ）のための制御情報を構成して転送する方法及び受信する方法を、提供することにある。
【０００４】
また、本発明の他の目的は、多数のコンポーネントキャリア（ＣＣ）を使用する無線通信システムにおいて、コンポーネントキャリアに対する制御情報を転送する装置を、提供することにある。
【０００５】
また、本発明の更に他の目的は、コンポーネントキャリアに対する制御情報を、物理ダウンリンク制御チャンネル（Physical Downlink Control Channel：ＰＤＣＣＨ）のダウンリンク制御情報（Downlink Control information：ＤＣＩ）のフォーマット（format）を通じて転送する方法及び装置を、提供することにある。
【０００６】
また、本発明の更なる他の目的は、定まった長さのビットを用いて特定コンポーネントキャリアに対する制御情報の転送を指示する方法及び装置を、提供することにある。
【０００７】
また、本発明の更に他の目的は、無線通信システムにおいて、特定コンポーネントキャリアに対する制御情報を構成するか否か、及び構成されたコンポーネントキャリアに対する制御情報の個数を指示する制御情報を、定まった長さのビットを用いて転送する装置を、提供することにある。
【０００８】
本発明の更なる特徴は、後に続く記述において説明され、ある程度、当該記述から明らかにされるであろう。もしくは、本発明の実施によって気付かれるかも知れない。
【課題を解決するための手段】
【０００９】
本発明の一態様は、２つ以上のコンポーネントキャリアを使用する無線通信システムにおいて、特定制御情報が上記コンポーネントキャリアのうちのどのコンポーネントキャリアのためのものであるかを識別する０ビット乃至ｍビット（ｍは０より大きい整数）の識別情報を生成し、生成された識別情報を上記特定制御情報に追加して、当該特定制御情報を制御チャンネルを介して転送することを含む方法を、提供する。
【００１０】
本発明の一態様は、２つ以上のコンポーネントキャリアを使用する無線通信システムにおける制御情報送信装置であって、特定制御情報が対応するコンポーネントキャリアを前記２つ以上のコンポーネントキャリアの中から識別し、前記コンポーネントキャリアを示す０ビットまたはｍビット（ｍは０より大きい整数）の識別情報を生成し、生成された識別情報を前記特定制御情報に追加する制御部と、前記特定制御情報を制御チャンネルを介して送信する送信部とを含む制御情報送信装置を、提供する。
【００１１】
本発明の一態様は、２つ以上のコンポーネントキャリアを使用する無線通信システムにおける制御情報受信方法であって、制御チャンネルを介して受信された特定制御情報に追加されている０ビットまたはｍビット（ｍは０より大きい整数）の識別情報を抽出し、前記０ビットまたはｍビットの識別情報を用いて、前記特定制御情報が対応するコンポーネントキャリアを前記２つ以上のコンポーネントキャリアの中から識別する制御情報受信方法を、提供する。
【００１２】
本発明の一態様は、２つ以上のコンポーネントキャリアを使用する無線通信システムにおける制御情報受信装置であって、受信した変調シンボルを復調して制御チャンネルにマッピングされた特定制御情報を抽出する復調部と、前記特定制御情報に追加されている０ビットまたはｍビット（ｍは０より大きい整数）の識別情報を抽出し、前記０ビットまたはｍビットの識別情報を用いて前記特定制御情報が対応するコンポーネントキャリアを前記２つ以上のコンポーネントキャリアの中から識別する制御部とを含む制御情報受信装置を、提供する。
【００１３】
前述した一般的な説明及び以下の詳細な説明の全てで０ビットは例示的なものと理解されるべきであり、請求される発明の追加的な例示を提供する意図で使われなければならない。
【００１４】
添付する図面は、本発明に対する追加的な理解を提供するために、本明細書に統合されて構成される。添付する図面は、本発明の実施形態を図示し、詳細な説明と共に本発明の原理を説明するために提供される。
【図面の簡単な説明】
【００１５】
【図１】本発明の実施形態による無線通信システムを示すブロック図である。
【図２】本発明の実施形態による多数コンポーネントキャリア（ＣＣ）を使用する無線通信システムにおいて、各コンポーネントキャリアのＰＤＣＣＨのＤＣＩフォーマットがＤＣＩフォーマットを有するＣＣと等しいＣＣのためのダウンリンク割当（Downlink assignments）及びアップリンク承認（Uplink grants）などの制御情報の転送を、図示している。
【図３】本発明の実施形態による多数コンポーネントキャリア（ＣＣ）を使用する無線通信システムにおいて、特定コンポーネントキャリア（ＣＣ）のＰＤＣＣＨのＤＣＩフォーマットが、ＤＣＩフォーマットが存在するＣＣと等しいＣＣのためだけではなく、他のＣＣのためのダウンリンク割当（Downlink assignments）及びアップリンク承認（Uplink grants）などの制御情報を転送できる場合を、図示している。
【図４】本発明の実施形態による基準コンポーネントキャリア（Reference CC）の位置及び構成された（configured）コンポーネントキャリア（ＣＣ）の個数と位置に関わらず、各コンポーネントキャリア（ＣＣ）の番号を一括的にナンバリング（numbering）する方法の例を、図示している。
【図５】本発明の実施形態による基準コンポーネントキャリア（Reference CC）の位置には関係ないが、構成された（configured）コンポーネントキャリア（ＣＣ）の個数を考慮して各コンポーネントキャリア（ＣＣ）の番号をナンバリング（numbering）する方法の例を、図示している。
【図６】本発明の実施形態による基準コンポーネントキャリア（Reference CC）のコンポーネントキャリア（ＣＣ）番号を０とし、残りのコンポーネントキャリア（ＣＣ）のＣＣ番号を構成された（configured）コンポーネントキャリアの個数と位置に関わらず、一括的にナンバリング（numbering）する場合を、図示している。
【図７】本発明の実施形態による基準コンポーネントキャリア（Reference CC）のコンポーネントキャリア（ＣＣ）番号を０とし、構成された（configured）コンポーネントキャリア（ＣＣ）の個数を考慮して各コンポーネントキャリアの番号をナンバリング（numbering）する方法を、図示している。
【図８】本発明の実施形態によるＰＤＣＣＨの構成を示すフローチャートである。
【図９】本発明の実施形態によるＰＤＣＣＨの処理を示すフローチャートである。
【図１０】本明細書の実施形態による制御情報を割り当てて送信する装置の構成を示す図である。
【図１１】本明細書の実施形態による制御情報を受信する装置の構成を示す図である。
【発明を実施するための形態】
【００１６】
以下、本発明の一部の実施形態を、例示的な実施形態を示す添付図面を参照しつつ、詳細に説明する。
添付図面は、本発明の更なる理解を提供するために、本明細書に組み込まれてその一部を構成することとなったものであり、本発明の実施例を図示し、且つ、明細書の説明とともに、本発明の原理を説明するのに役立つものである。
ただし、本開示は、多くの変形例を許容するものであり、以下に説明される実施形態に限定されるものではない。むしろ、これら実施形態は、本開示を完全なものとし、且つ、本開示の範囲を当業者に十分に知らせる為に、準備されたものである。おそらく、ここに記載されたシステム，装置及び／又は方法の様々な変更，変形及び均等物が、当業者に示唆されるであろう。全図面及び詳細な説明を通じて、同じ構成要素，特徴及び構造に対しては同じ参照符号が付加されており、明確化及び便宜の上為に、図面間で同じ構成要素のサイズやプロポーションが変えられている場合もある。
【００１７】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や回順序または順序などが限定されない。どの構成要素が他の構成要素に「連結」、「結合」、または「接続」されると記載された場合、その構成要素はその他の構成要素に直接的に連結、または接続できるが、各構成要素の間に更に他の構成要素が「連結」、「結合」、または「接続」されることもできると理解されるべきである。また、「含む」、「備える」及び「有する」は、特に反対の記述がない限り、一つ以上の対応する要素が存在することを意味するので、一つ以上の要素が含まれると解釈されるべきである。一つ以上の技術的又は科学的な専門用語を含む全ての専門用語は、反対の定義がなされていない限り、当業者が普通に理解できるものと同じ意味を有する。辞書に定義されているような通常用いられる用語は、関連する記述の文脈におけるのと同じ意味を持つものとして解釈されるべきであり、本明細書ないで明らかに定義されていない限り、観念的又は極端に形式的に解釈されるべきではない。
【００１８】
図１は、本発明の実施形態が適用される無線通信システムを示すブロック図である。
【００１９】
無線通信システムは、音声、パケットデータなどの多様な通信サービスを提供するために、広範囲にわたって構築されている。図１を参照すると、無線通信システムは、ユーザ装置ユーザ装置１０（User Equipment；ＵＥ）及び基地局２０（Base Station；ＢＳ）を含む。
【００２０】
本明細書において用いられているように、「ユーザ装置１０」は、無線通信におけるユーザ端末を示す包括的な意味を有し、ＷＣＤＭＡ及びＬＴＥ、ＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として、解釈されるべきである。
【００２１】
基地局２０またはセル（cell）は、一般的に、ユーザ装置１０と通信する固定局（fixedstation）をいい、ノード−Ｂ（Node-B）、ｅＮＢ（evolved Node-B）、ＢＴＳ（Base Transceiver System）、アクセスポイント（Access Point）等、他の用語と呼ばれる場合もある。
【００２２】
即ち、本明細書で用いられるように、基地局２０またはセル（cell）は、ＣＤＭＡでのＢＳＣ（Base Station Controller）、ＷＣＤＭＡのNode-Bなどがカバーする領域を表す包括的な意味を有するものとして解釈されなければならず、メガセル、マクロセル、マイクロセル、ピコセル、フェムトセル等、多様なカバレッジ領域の何れかに対応する。
【００２３】
本明細書でユーザ装置１０と基地局２０は、特別に表現された用語又は単語に限定されず、本明細書で記述される技術または技術的思想を具現する為に用いられる２つの送受信主体を、包括的に示す。
【００２４】
無線通信システムに適用される多重接続技法には、制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡなどの多様な多重接続技法を使用することができる。
【００２５】
アップリンク転送及びダウンリンク転送のためには、互いに異なる複数の時間帯域を各送信の為に用いるＴＤＤ（時分割多重）方式、または、互いに異なる複数の周波数帯域を各送信の為に用いるＦＤＤ（周波数分割多重）方式が使われる。
【００２６】
本発明の実施形態は、特に、ＧＳＭ（登録商標）、ＷＣＤＭＡ、ＨＳＰＡを経てＬＴＥ（Long Term Evolution）及びＬＴＥ-Advancedに進化するＯＦＤＭ基盤の非同期無線通信の資源割当に、適用され得る。本発明は、特定の無線通信分野に限定または制限されて解釈されてはならず、本発明の事象が適用できる全ての技術分野を含むことと解釈されるべきである。
【００２７】
次世代の移動通信システムの要求条件のうち、最も重要な条件の１つは、高いデータ転送率要求量がサポートできるということである。このために、多重入力多重出力（Multiple Input Multiple Output；ＭＩＭＯ）、ＣｏＭＰ（Cooperative Multiple Point transmission）、リレー（relay）等、多様な技術が研究されているが、最も基本的で、かつ安定した解決方案は、帯域幅を増やすことである。
【００２８】
しかしながら、現在の周波数資源は飽和状態であり、多様な技術が広範囲な周波数帯域で部分的に使われている実状である。したがって、このような状況で高いデータ転送率やスループットといった要求を満たすために、キャリア集合体（carrier aggregation；以下、“ＣＡ”という）を導入した。これは、散在している帯域の各々が独立的なシステムを動作できる基本的な要求事項を満たし、多数の帯域を１つのシステムに縛ることを可能にする概念であるこの際、各々の独立的な運用が可能な帯域は、コンポーネントキャリア（component carrier；以下、“ＣＣ”という）と定義される。多数個のコンポーネントキャリアが用いられることにより、ユーザ装置１０または基地局２０は、アップリンクとダウンリンクで転送／受信広帯域の帯域幅を確保することができ、これによって、次世代の移動通信システムのサービス要求事項を満たすシステムの設計が容易になる。また、基地局とＵＥとの間の送受信がなされる各々のＣＣは、サービングセル（serving cell）と定義される。したがって、基地局とＵＥとの間には多数のサービングセルが定義される。
【００２９】
この際、全てのコンポーネントキャリアは、１つのコンポーネントキャリアのみ使用するものと互換可能に設定できる。１つのコンポーネントキャリアは、キャリア集合体を使用する以前の１つの無線通信帯域を、調べても良い。各々のコンポーネントキャリアは、各々最大２０ＭＨｚ帯域を有することができ、次世代の移動通信システムのうちの１つのＬＴＥ-Advancedシステムでは、このような５個のコンポーネントキャリアを同時に使用することができるが、これに制限されない。例えば、最大９個のコンポーネントキャリアを同時に使用することもできる。
【００３０】
コンポーネントキャリアは各々が独立的なシステム動作が可能であるので、ユーザ装置１０は、少なくとも１つのコンポーネントキャリアを有するだけでも正常な移動通信サービスを提供することができ、多数個のコンポーネントキャリアを用いて同時に移動通信サービスをサポートすることもできる。
【００３１】
このように多数のコンポーネントキャリアを使用する無線通信システムにおいて、物理ダウンリンク制御チャンネル（ＰＤＣＣＨ）のダウンリンク制御情報（ＤＣＩ）のフォーマット（format）を用いて各々のコンポーネントキャリア（ＣＣ）によってダウンリンク割当（Downlink assignments）やアップリンク承認（Uplink grants）の情報などの制御情報を転送するに当たって、各ＤＣＩフォーマットを用いて伝達される制御情報が対応するコンポーネントキャリア（ＣＣ）が、多数のコンポーネントキャリア（ＣＣ）の中から特定されためのものであるかを識別する必要がある。
【００３２】
このために、ＤＣＩフォーマットは、制御情報に対応するコンポーネントキャリアを指示するコンポーネントキャリア指示子（Component Carrier Indicator：CC Indicator）またはセルインデックス（Cell Index；ＣＩ）に該当する追加的なビット（additional bit）を含んでも良い。また、追加的なビットによって、多数のコンポーネントキャリアの中から各ＤＣＩフォーマットによって伝達される上記制御情報に対応するコンポーネントキャリア（ＣＣ）を識別する方法が、明らかになっている。本発明は、最大３ビットを上記追加的なビットとして考慮に入れている。
【００３３】
したがって、本発明の実施形態は、新たなコンポーネントキャリア指示子（CC indicator）またはセルインデックス（Cell Index；ＣＩ）を構成及び転送する方法を開示するが、この場合、各ＤＣＩフォーマットは、コンポーネントキャリア指示子のための追加ビットを含む。、本発明の他の実施形態は、構成されるコンポーネントキャリアに応じて、前記追加的ビットを最大で１ビットまたは２ビットとなるように減らしてオーバーヘッドを減らす方法も、開示している。また、ダウンリンク割当（Downlink assignments）やアップリンク承認（Uplink grants）のような制御情報をＤＣＩフォーマットが存在するＣＣと同一のＣＣによって転送する場合には、既存システムとの互換性（backward-compatibility）を維持すべく、各ＤＣＩフォーマットからコンポーネントキャリア指示子のための追加ビットが省略されても良い
【００３４】
図２は、本発明が適用される多数コンポーネントキャリア（ＣＣ）を使用する無線通信システムにおいて、各コンポーネントキャリアのＰＤＣＣＨのＤＣＩフォーマットを有するＣＣと同一なＣＣのための、ダウンリンク割当（Downlink assignments）やアップリンク承認（Uplink grants）のような制御情報の転送を、図示している。
【００３５】
図２を参照すると、多数コンポーネントキャリア（ＣＣ）の各キャリアコンポーネントは、無線フレーム（radio frame）単位でリソースを転送する。この際、無線フレーム（radio frame）は１０個のサブフレーム（subframe）を含み、各サブフレームは２つのスロット（slot）を含む。１つのサブフレームの転送にかかる時間を、ＴＴＩ（transmission time interval）という。
【００３６】
例えば、１つのサブフレームの長さは１ｍｓであり、１つのスロットの長さは０．５ｍｓである。この際、無線フレームの構造は例示に過ぎず、無線フレームに含まれるサブフレームの数またはサブフレームに含まれるスロットの数、スロットに含まれるＯＦＤＭシンボルの数は多様に変更できる。
【００３７】
１つのサブフレームは、２つの連続的な（consecutive）スロットを含む。ダウンリンク（Downlink）の場合、サブフレームの内の最初のスロットの最初から最大３つのＯＦＤＭシンボルが、ＰＤＣＣＨが割り当てられる制御領域（control region）に相当し、残りのＯＦＤＭシンボルが、ＰＤＳＣＨが割り当てられるデータ領域（data region）に相当する。制御領域には、ＰＤＣＣＨの他にも、ＰＣＦＩＣＨ、ＰＨＩＣＨなどの制御チャンネルが割り当てられる。ユーザ装置１０は、ＰＤＣＣＨを介して転送される制御情報をデコーディングして、ＰＤＳＣＨを介して転送されるデータ情報を、読み取ることができる。ここで、制御領域が３つのＯＦＤＭシンボルを含むことは例示に過ぎない。サブフレームの内の制御領域に含まれるＯＦＤＭシンボルの数は、ＰＣＦＩＣＨを通じて分かる。
【００３８】
複数のユーザ装置１０のために多重化された複数のＰＤＣＣＨが、制御領域内で転送され得る。ＰＤＣＣＨは、スケジューリング決定及び電力制御命令のようなＤＣＩを運搬するために、用いられ得る。具体的に、ＤＣＩは、ダウンリンクスケジューリング割当（Downlink scheduling assignments）やアップリンクスケジューリング承認（Uplink scheduling grants）や電力制御命令（Power control commands）などの制御情報を、含んでも良い。前述した制御情報の他のタイプは、他のＤＣＩメッセージのサイズに対応するので、ＤＣＩは、他のＤＣＩフォーマットにより区分され得る。この際、ＤＣＩフォーマットは、メッセージのサイズ及び用途に対応する。ＤＣＩフォーマットは、例えばＤＣＩフォーマット０（UL-SCH assignments）、１（DL-SCH assignments for SIMO operation）、１Ａ（compact DL-SCH assignments for SIMO operation）、２（DL-SCH assignments for MIMO operation）、３（TPC commands for PUCCH and PUSCH with 2-bit power adjustments）、３Ａ（TPC commands for PUCCH and PUSCH with single bit power adjustments）等の６種類に区分できる。
【００３９】
１つのＰＤＣＣＨは、前述したＤＣＩフォーマットのうちの１つにより１つのメッセージを運搬する。多数のユーザ装置１０がアップリンクとダウンリンクの上で同時にスケジューリングできるため、各々のサブフレームの内に多数のスケジューリングメッセージを転送することができる。各々のスケジューリングメッセージは別途のＰＤＣＣＨの上に転送されるので、各サブフレーム内で同時に多数のＰＤＣＣＨが転送され得る。
【００４０】
図２をまた参照すると、多数コンポーネントキャリア（ＣＣ）を使用する無線通信システムにおいて、各コンポーネントキャリアのＰＤＣＣＨのＤＣＩフォーマットは、ＤＣＩフォーマットを有するコンポーネントキャリアと同一のコンポー念とキャリアのため、ダウンリンク割当（Downlink assignments）やアップリンク承認（Uplink grants）のような制御情報を転送することができる。多数のコンポーネントキャリア（ＣＣ）の各々のためのＰＤＣＣＨは、対応するコンポーネントキャリアの制御情報の転送のためのＤＣＩフォーマットを含む。
【００４１】
したがって、ダウンリンクの各コンポーネントキャリアのＰＤＣＣＨは、ＤＣＩフォーマットを有するダウンリンクコンポーネントキャリアのＰＤＳＣＨと、対にされている。したがって、多数のコンポーネントキャリアの中から、各ＤＣＩフォーマットによって伝達される制御情報に対応するコンポーネントキャリア（ＣＣ）を、識別する必要がない。
【００４２】
ユーザ装置１０は、ＤＣＩフォーマットを有する各ダウンリンクコンポーネントキャリアのＰＤＣＣＨを介して転送される制御情報をデコーディングすることにより、ダウンリンクの各コンポーネントキャリアのＰＤＳＣＨを介して転送されるデータ情報を、読み取ることができる。
【００４３】
図３は、本発明の実施形態による多数コンポーネントキャリア（ＣＣ）を使用する無線通信システムにおいて、特定コンポーネントキャリア（ＣＣ）のＰＤＣＣＨのＤＣＩフォーマットが、当該ＤＣＩフォーマットを有するコンポーネントキャリアと同一のコンポーネントキャリアのためだけでなく、他のコンポーネントキャリアのためにも、ダウンリンク割当（Downlink assignments）やアップリンク承認（Uplink grants）のような制御情報を転送できる場合を、図示している。
【００４４】
図３を参照すると、特定のコンポーネントキャリア（ＣＣ Ｘ）は、当該コンポーネントキャリアの制御情報の転送のためのＤＣＩフォーマット（DCI format X）を含むが、他の特定のコンポーネントキャリア（ＣＣ ０）は、当該コンポーネントキャリア（ＣＣ ０）及び他のコンポーネント（ＣＣ １）を含む多数のコンポーネントキャリアの制御情報の転送のためのマルチＤＣＩフォーマット（DCI format A、 B）を含んでも良い。また、特定のコンポーネントキャリアのＰＤＣＣＨは、全てのコンポーネントキャリアの制御情報の転送のためのＤＣＩフォーマットを、含んでいてもよい。
【００４５】
特定のコンポーネントキャリア（ＣＣ）のＰＤＣＣＨのＤＣＩフォーマットが、当該ＤＣＩフォーマットを有するコンポーネントキャリアと同一のコンポーネントキャリアのためだけでなく、１つ以上の他のコンポーネントキャリアのためにも、ダウンリンク割当（Downlink assignments）やアップリンク承認（Uplink grants）のような制御情報を転送する場合、即ち、特定のコンポーネントキャリア（ＣＣ）が、当該特定コンポーネントキャリア及び１つ以上の他のコンポーネントキャリアを含む複数のコンポーネントキャリアの制御情報の転送のためのＤＣＩフォーマットを含む場合、当該多数のコンポーネントキャリアの中から、各ＤＣＩフォーマットによって伝達される制御情報に対応するコンポーネントキャリア（ＣＣ）を識別する必要がある。
【００４６】
このために、ＤＣＩフォーマットは、コンポーネントキャリア指示子（Component Carrier Indicator）またはセルインデックス（ＣＩ）に対応する追加的なビット（additional bit）を含む。これにより、多数のコンポーネントキャリアの中から、各ＤＣＩフォーマットによって伝達される上記制御情報が対応するするコンポーネントキャリア（ＣＣ）を識別することが可能となる。
【００４７】
次世代の無線通信システムのうちの１つであるＬＴＥ-Advancedシステムの場合、最大２０ＭＨｚ帯域を有する５個のコンポーネントキャリアを同時に使用することを考慮しているが、これに限定されるものではない。この追加的なビットとして、３ビットが含まれ得る。
【００４８】
図４は、本発明の一実施形態による、通信内で実際に構成されたコンポーネントキャリアの数及び位置、並びに、基準コンポーネントキャリア（Reference CC）の位置に関わらず、全てのコンポーネントキャリア（ＣＣ）の番号を一括的にナンバリング（numbering）する方法の例を、図示している。
【００４９】
例えば、５個のコンポーネントキャリアを考慮するシステムにおいて、コンポーネントキャリアに対して０から４まで一括的にナンバリングする場合には、表１に示されるようなマッピング（mapping）方法に従い、ＤＣＩフォーマット中の３ビットの追加的なビット（additional bit）によってコンポーネントキャリア指示子（Component Carrier Indicator ： CC Indicator）を構成することができる。この際、基準コンポーネントキャリアは、コンポーネントキャリア指示子（Component Carrier Indicator）またはセルインデックス（ＣＩ）によって示されるＤＣＩフォーマットを有する対応コンポーネントキャリア（ＣＣ）である。
【００５０】
【表１】
2013507821.tif 000003
【００５１】
多数のコンポーネントキャリアの中から各ＤＣＩフォーマットにより転送される制御情報に対応するコンポーネントキャリアをコンポーネントキャリア指示子（Component Carrier Indicator）またはセルインデックス（ＣＩ）により識別するに当たって、そのＤＣＩフォーマットを有するコンポーネントキャリア（ＣＣ）が、基準コンポーネントキャリア（Reference CC）として機能し得る。
【００５２】
したがって、各々のＤＣＩフォーマット毎に基準コンポーネントキャリア（Reference CC）は異なることがあるが、各々のＤＣＩフォーマットは、一つの基準コンポーネントキャリア（Reference CC）に対応する。また、構成されたコンポーネントキャリア（ＣＣ）は、アップ／ダウンリンク内の送受信を実際に行うアクティブなコンポーネントキャリア（ＣＣ）であってもよく、ダウンリンク割当（Downlink assignments）やアップリンク承認（Uplink grants）のような制御情報を送受信するために構成された（configured）コンポーネントキャリア（ＣＣ）であってお良い。
【００５３】
図４に示されるように、基準コンポーネントキャリア（Reference CC）の位置及び構成されたコンポーネントキャリア（ＣＣ）の個数と位置に関わらず、各コンポーネントキャリア（ＣＣ）の番号を一括的にナンバリング（numbering）した状態で、ＬＴＥ-Advancedのように５個のＣＣを考慮するシステムにおいて、コンポーネントキャリアに対して０から４までナンバリングする場合には、コンポーネントキャリア指示子（Component Carrier Indicator）またはセルインデックス（ＣＩ）は、表１に示されるようなマッピング方法とは異なる表２に示されるようなマッピング方法により、ＤＣＩフォーマット内の０ビットあるいは２ビットの追加的なビットによって構成可能である。
【００５４】
【表２】
2013507821.tif 000004
【００５５】
表２において０ビットは、そのＤＣＩフォーマットを有するコンポーネントキャリアと同一のコンポーネントキャリアにより、ダウンリンク割当（Downlink assignments）やアップリンク承認（Uplink grants）のような制御情報を転送する場合に対応する。これによって、そのＤＣＩフォーマット内のコンポーネントキャリア指示子（CC indicator）またはセルインデックス（ＣＩ）に対する追加ビットを０ビットとすることにより（つまり、キャリアコンポーネントフィールドが無いということ）、既存システムとの互換性を維持することができる。
【００５６】
また、ダウンリンク割当（Downlink assignments）やアップリンク承認（Uplink grants）のような制御情報が当該ＤＣＩフォーマットを有するコンポーネントキャリアとは異なる他のコンポーネントキャリアによって転送される場合を示すために２ビットを用いることにより、表１に示されるような方法において用いられる３ビットよりも減じられたビット数（２ビット）により、オーバーヘッドを減らすことができる。
【００５７】
この際、ＤＣＩフォーマット全体の全ビット数のうち、ゼロパディング（zero padding）として含まれるビット数（時系列中に追加された“０”ビットの数）を識別することにより、コンポーネントキャリア指示子（Component Carrier Indicator）またはセルインデックス（ＣＩ）のビット長が０ビットであるか２ビットであるかを判断することが、可能である。例えば、コンポーネントキャリア指示子のビット長が０ビットであるＤＣＩフォーマットは、コンポーネントキャリア指示子のビット長が２ビットであるＤＣＩフォーマットよりも、時系列で追加された“０”ビットを２ビット多く有している。
【００５８】
図４及び表２を参照すると、Ｒｎｕｍｂｅｒは、基準コンポーネントキャリア（reference CC）のＣＣインデックス番号に相当する。例えば、４個の構成されたコンポーネントキャリアを含む５個のコンポーネントキャリアが使用されるとともに、基準コンポーネントキャリア（reference CC）がＣＣ ２（Ｒｎｕｍｂｅｒ＝２）であるケースＡの場合、コンポーネントキャリア指示子（CC indicator）のビット長が０ビットであるＤＣＩフォーマット（コンポーネントキャリア指示子のビット長が０ビットのＤＣＩフォーマットは、コンポーネントキャリア指示子のビット長が２ビットであるＤＣＩフォーマットよりも、時系列で追加された“０”ビットを２ビット多く有している）は、ＤＣＩフォーマットが存在するＣＣ２の制御情報の転送のためのＤＣＩフォーマットに相当する。また、コンポーネントキャリア指示子（CC indicator）またはセルインデックス（ＣＩ）が２ビットであるＤＣＩフォーマットの場合、ビット値が００であれば、当該ＤＣＩフォーマットはＣＣ ３の制御情報の転送のためのＤＣＩフォーマットに相当し、ビット値が０１であれば、当該ＤＣＩフォーマットはＣＣ ４の制御情報の転送のためのＤＣＩフォーマットに相当し、ビット値が１０であれば、当該ＤＣＩフォーマットはＣＣ ０、１１であれば、当該ＤＣＩフォーマットはＣＣ １の制御情報の転送のためのＤＣＩフォーマットに相当する。
【００５９】
同一の方式により、３個の構成されたコンポーネントキャリアを含む５個のコンポーネントキャリアが使用されるとともに、基準コンポーネントキャリア（reference CC）がＣＣ ３（Ｒｎｕｍｂｅｒ＝３）であるケースＢの場合、コンポーネントキャリア指示子（CC indicator）のビット長が０ビットであるＤＣＩフォーマットは、ＤＣＩフォーマットが存在するＣＣ３の制御情報の転送のためのＤＣＩフォーマットに相当する。また、コンポーネントキャリア指示子（CC indicator）が２ビットであるＤＣＩフォーマットの場合、ビット値が００であれば、当該ＤＣＩフォーマットはＣＣ ４の制御情報の転送のためのＤＣＩフォーマットに相当し、ビット値が０１であれば、当該ＤＣＩフォーマットはＣＣ ０の制御情報の転送のためのＤＣＩフォーマットに相当し、ビット値が１０であれば、当該ＤＣＩフォーマットはＣＣ １の制御情報の転送のためのＤＣＩフォーマットに相当し、ビット値が１１であればＣＣ ２の制御情報の転送のためのＤＣＩフォーマットに相当する。
【００６０】
図５は、本発明の一実施形態による、基準コンポーネントキャリア（Reference CC）の位置に拘わらず、通信内で実際に構成されたコンポーネントキャリア（ＣＣ）の個数を考慮して、コンポーネントキャリア（ＣＣ）の番号をナンバリング（numbering）する方法を、図示している。
【００６１】
図５を参照すると、構成されていないコンポーネントキャリアを除いて、構成されたコンポーネントキャリア（ＣＣ）のみが一括的にナンバリング（numbering）される。
【００６２】
例えば、図５で、４個の構成されたコンポーネントキャリア（ＣＣ）を含むケースＡの場合、構成されていないコンポーネントキャリアを除いて、構成されたコンポーネントキャリアは、ＣＣ ０乃至ＣＣ ３に一括的にナンバリングされる。また、図５で、３個の構成されたコンポーネントキャリア（ＣＣ）を含むケースＢの場合、構成されていないコンポーネントキャリアを除いて、構成されたコンポーネントキャリアは、ＣＣ ０乃至ＣＣ ２に一括的にナンバリングされる。
【００６３】
表３から気付かれるように、構成されたコンポーネントキャリア（ＣＣ）の個数が１つの時は、コンポーネントキャリア指示子（Component Carrier Indicator）のための追加的なビットはない（０ビット）。また、構成されたコンポーネントキャリア（ＣＣ）の個数が２〜３個の時は、コンポーネントキャリア指示子（Component Carrier Indicator）またはセルインジケータ（ＣＩ）は、０ビットあるいは１ビットの追加的なビット（additional bit）を有しても良いし、構成されたコンポーネントキャリア（ＣＣ）の個数が４〜５個の時は、コンポーネントキャリア指示子（Component Carrier Indicator）またはセルインジケータ（ＣＩ）は、０ビットあるいは２ビットの追加的なビット（additional bit）を有しても良い。
【００６４】
上述したように構成されたコンポーネントキャリア指示子（Component Carrier Indicator）またはセルインジケータ（ＣＩ）において、０ビットは、既存システムとの互換性を維持するために、コンポーネントキャリアのための追加ビットが省略される(即ち、コンポーネントキャリア指示子フィールドが無い)ＤＣＩフォーマットを有するコンポーネントキャリアと同一のコンポーネントキャリアにより、ダウンリンク割当（Downlink assignments）やアップリンク承認（Uplink grants）のような制御情報を転送する場合に対応する。
【００６５】
また、ＤＣＩフォーマットを有するコンポーネントキャリアとは異なるコンポーネントキャリアにより、ダウンリンク割当（Downlink assignments）やアップリンク承認（Uplink grants）のような制御情報を転送する場合、３ビットを用いる表１の場合や２ビットを用いる表２の場合よりもビット数を削減するため、構成されたコンポーネントキャリア（ＣＣ）の個数に応じて、１ビットあるいは２ビットの追加的ビットが前記コンポーネントキャリア指示子として使用され、これにより、オーバーヘッドをより減らすことができる。
【００６６】
この際、ＤＣＩフォーマット全体の全ビット数のうち、ゼロパディング（zero padding）として含まれるビット数（時系列中に追加された“０”ビットの数）を識別することにより、コンポーネントキャリア指示子（Component Carrier Indicator）またはセルインデックス（ＣＩ）のビット長が０ビットであるか２ビットであるかを判断することが、可能である。例えば、コンポーネントキャリア指示子のビット長が０ビットであるＤＣＩフォーマットは、コンポーネントキャリア指示子のビット長が２ビットであるＤＣＩフォーマットよりも、時系列で追加された“０”ビットを２ビット多く有しており、コンポーネントキャリア指示子のビット長が１ビットであるＤＣＩフォーマットは、コンポーネントキャリア指示子のビット長が２ビットであるＤＣＩフォーマットよりも、時系列で追加された“０”ビットを１ビット多く有している。
【００６７】
【表３】
2013507821.tif 000005
【００６８】
2013507821.tif 000006
【００６９】
2013507821.tif 000007
【００７０】
図５及び表３を参照すると、Ｒｎｕｍｂｅｒは、基準コンポーネントキャリア（reference CC）のＣＣインデックス番号に相当する。例えば、４個の構成されたコンポーネントキャリア（ＣＣ）を含む５個のコンポーネントキャリアが使用されるとともに、基準コンポーネントキャリア（reference CC）がＣＣ ２（Ｒｎｕｍｂｅｒ＝２）であるケースＡの場合、コンポーネントキャリア指示子（CC indicator）のビット長は０ビット又は２ビットを採ることができる。コンポーネントキャリア指示子（CC indicator）のビット長が０ビットであるＤＣＩフォーマットは、ＤＣＩフォーマットが含まれるＣＣ２の制御情報の転送のためのＤＣＩフォーマットに相当する。また、コンポーネントキャリア指示子（CC indicator）のビット長が２ビットであるＤＣＩフォーマットの場合そのビット値が００であれば、当該ＤＣＩフォーマットはＣＣ ３の制御情報の転送のためのＤＣＩフォーマットに相当し、ビット値が０１であれば、当該ＤＣＩフォーマットはＣＣ ０の制御情報の転送のためのＤＣＩフォーマットに相当し、ビット値が１０であれば、当該ＤＣＩフォーマットはＣＣ １の制御情報の転送のためのＤＣＩフォーマットに相当する。
【００７１】
同一な方式により、３個の構成されたコンポーネントキャリア（ＣＣ）を含む５個のコンポーネントキャリアが使用されるとともに、基準コンポーネントキャリア（reference CC）がＣＣ ２（Ｒｎｕｍｂｅｒ＝２）であるケースＢの場合、コンポーネントキャリア指示子のビット長は０ビット又は１ビットを採ることができる。コンポーネントキャリア指示子のビット長が０ビットであるＤＣＩフォーマットは、当該ＤＣＩフォーマットが含まれるＣＣ ２の制御情報の転送のためのＤＣＩフォーマットに相当する。また、コンポーネントキャリア指示子（CC indicator）のビット長が１ビットであるＤＣＩフォーマットの場合、そのビット値が０であれば、当該ＤＣＩフォーマットはＣＣ ０の制御情報の転送のためのＤＣＩフォーマットに相当し、ビット値が１であれば、当該ＤＣＩフォーマットはＣＣ １の制御情報の転送のためのＤＣＩフォーマットに相当する。
【００７２】
上述したように、ＤＣＩフォーマットを有するコンポーネントキャリアと同一のコンポーネントキャリアを通じて制御情報を転送する場合、コンポーネントキャリア指示子のための追加ビットが当該ＤＣＩフォーマットから省略され（即ち、コンポーネントキャリア指示子がないということ）、これにより、既存システムとの互換性が維持される。また、ＤＣＩフォーマットを有する当該コンポーネントキャリアとは異なるコンポーネントキャリアを通じて制御情報を転送する場合、構成されたコンポーネントキャリア（ＣＣ）の個数に応じて１ビットあるいは２ビットの追加ビットが、コンポーネントキャリア指示子のために用いられ、それにより、コンポーネントキャリア指示子のビット数をより減らすことができる。
【００７３】
図４及び図５を参照して説明した通り、前述した基準コンポーネントキャリア（ＣＣ）は、コンポーネントキャリア指示子（Component Carrier Indicator）を含むＤＣＩフォーマットが存在するコンポーネントキャリア（ＣＣ）に相当する。各ＤＣＩフォーマットによって伝達される制御情報に対応するコンポーネントキャリア（ＣＣ）を多数のコンポーネントキャリア（ＣＣ）の中からコンポーネントキャリア指示子及びセルインデックスにより識別するに当たって、そのＤＣＩフォーマットを有するコンポーネントキャリア（ＣＣ）が、基準コンポーネントキャリア（Reference CC）として働く。したがって、各々のＤＣＩフォーマット毎に上記基準コンポーネントキャリア（Reference CC）は異なり得るが、各ＤＣＩフォーマットには一つの基準コンポーネントキャリア（Reference CC）が対応する。
【００７４】
しかしながら、他の態様では、この基準コンポーネントキャリア（Reference CC）は、アンカーコンポーネントキャリア（anchor CC）でありうる。アンカーコンポーネントキャリアは、多数のＣＣのうち、無線通信システムの送受信過程における最も一般的且つ核心となる機能を果たすキャリアコンポーネントＣＣということができる。このような場合、アンカーコンポーネントキャリア（anchor CC）が変わらない限り、各ＤＣＩフォーマットを有するＰＤＣＣＨが属するキャリアコンポーネント如何に依らず、基準コンポーネントキャリア（Reference CC）は、１つの普遍のコンポーネントキャリアである。
【００７５】
サービングセルまたは主サービングセル（Primary serving cell：以下、「ＰＣｅｌｌ」という）が、上記アンカーコンポーネントキャリアとなり得る。
【００７６】
また、上記基地局とユーザ装置との間の各コンポーネントキャリアの信号送受信のためのセルが、サービングセル（serving cell）と定義される。したがって、基地局とユーザ装置との間には多数のサービングセルが定義される。この際、以下のような特徴を有するサービングセルまたはコンポーネントキャリア（ＣＣ）が、ＰＣｅｌｌまたは主コンポーネントキャリア（Primary Component Carrier：ＰＣＣ）と定義される。
【００７７】
換言すると、ＰＣｅｌｌは、以下のような属性を有する。
【００７８】
−ＰＣｅｌｌのセルインデックス又はＰＣＣのコンポーネントキャリア指示子は、常に０である。
【００７９】
−ＰＣｅｌｌは、一組のダウンリンク（ＤＬ）コンポーネントキャリア及びアップリンク（ＵＬ）コンポーネントキャリアを、常に有している。
【００８０】
−各ユーザ装置は、夫々、互いに異なるコンポーネントキャリアをＰＣＣとして設定することができる。
【００８１】
−ＰＣｅｌｌは、常にアクティベードされている。
【００８２】
−ＰＣｅｌｌのダウンリンクコンポーネントキャリア及びアップリンクコンポーネントキャリアを通じてのみランダムアクセス処理が実行される。但し、ＭＳＧ４（contention resolution）の場合、ＭＳＧ４を指示するＰＤＣＣＨのみ、ダウンリンクコンポーネントキャリアを通じて転送されなければならず、ＭＳＧ４情報は、ダウンリンクＰＣＣまたは以下に説明する副サービングセル（Secondary Serving Cell；ＳＣｅｌｌ）を通じて転送可能である。
【００８３】
−ＰＣｅｌｌのアップリンクを通じてのみ、ＰＵＣＣＨ（Physical uplink control channel）が転送される。
【００８４】
−ＮＡＳ（non-access stratum）情報は、ダウンリンク ＰＣＣを通じて受信される。
【００８５】
−セキュリティキー情報が、ＰＣＣを通じて送受信される。
【００８６】
−無線リソース制御（Radio Resource Control：RRC）の再確立（Re-establishment）は、ダウンリンクＰＣＣにおいて無線リンク障害（radio link failure：RLF）が感知されるか、アップリンクＰＣＣを通じたランダムアクセスが再試行された回数が上限を超過した場合にのみ、実行される。
【００８７】
上記ＰＣｅｌｌの以外のサービングセルは、副サービングセル（Secondary serving cell：以下、「ＳＣｅｌｌ」という）として定義可能である。ＰＣｅｌｌを構成するコンポーネントキャリアは、主コンポーネントキャリア（primary CC：以下、「ＰＣＣ」という）と称され、ＳＣｅｌｌを構成するコンポーネントキャリアは、副コンポーネントキャリア（secondary CC：以下、「ＳＣＣ」という）と称されるが、それに限定されるものではない。
【００８８】
また、本明細書での基準コンポーネントキャリアは、前述したアンカーコンポーネントキャリア、又はＰＣＣの何れであっても良い。しかしながら、本発明の態様は、それに限定されるものではなく、以下の説明は、基準コンポーネントキャリアがアンカーコンポーネントキャリアである場合と基準コンポーネントキャリアがＰＣＣである場合の両方に基づいている。
【００８９】
上記議論は、基準コンポーネントキャリアを含む複数コンポーネントキャリアの番号を一括的にナンバリング（numbering）する方法を扱っている。以下、基準コンポーネントキャリア（Reference CC）のンポーネントキャリア（ＣＣ）番号を０とし、他のコンポーネントキャリアに対して一括的にナンバリング（numbering）する方法を、説明する。
【００９０】
図６は、本発明の一実施形態による、通信上で構成されたコンポーネントキャリア（ＣＣ）の個数と位置に関わらず、基準コンポーネントキャリア（Reference CC）のコンポーネントキャリア（ＣＣ）番号を０とし、上記基準コンポーネントキャリアを除いた他の全てのコンポーネントキャリアに対してコンポーネントキャリア番号を一括的にナンバリング（numbering）する方法を、図示している。
【００９１】
例えば、４個の構成されたキャリアコンポーネントを含む図６のケースＡの場合、基準コンポーネントキャリア（Reference CC）にコンポーネントキャリア（ＣＣ）インデックス番号０が付与され、残りのコンポーネントキャリアＣＣ １乃至ＣＣ ４に対して一括的にナンバリングされ。また、３個の構成されたキャリアコンポーネントを含む図６ケースＢの場合、基準コンポーネントキャリア（Reference CC）にコンポーネントキャリア（ＣＣ）インデックス番号０が付与され、残りのコンポーネントキャリアＣＣ １乃至ＣＣ ４に対して一括的にナンバリングされる。基準コンポーネントキャリア番号を０にナンバリングするので、基準コンポーネントキャリア以後の他のコンポーネントキャリアの番号が変わるようになる。
【００９２】
この場合、表４に示されるようなマッピング（mapping）方法により、コンポーネントキャリア指示子又はセルインデックスは、ＤＣＩフォーマット中の０ビットあるいは２ビットの追加的なビットにより構成可能である。ＤＣＩフォーマットにおいて、０ビットは、当該ＤＣＩフォーマットを有するコンポーネントキャリアと同一のコンポーネントキャリアにより、ダウンリンク割当（Downlink assignments）やアップリンク承認（Uplink grants）のような制御情報を転送するケースに該当する。ＤＣＩフォーマット内にコンポーネントキャリア指示子（CC indicator）又はセルインデックスのための追加ビット無しの０ビットにより（即ち、コンポーネントキャリア指示子フィールドがないということ）、既存システムとの互換性（backward-compatibility）を維持することができる。
【００９３】
また、ＤＣＩフォーマットを有するコンポーネントキャリアとは異なる他のコンポーネントキャリアによりダウンリンク割当やアップリンク承認のような制御情報が転送される場合を示す２ビットを用いることにより、表１に示されるような方法において使用される３ビットよりも減じられたビット数（２ビット）により、オーバーヘッドを減らすことが可能である。
【００９４】
この際、ＤＣＩフォーマット全体の全ビット数のうち、ゼロパディング（zero padding）として含まれるビット数（時系列中に追加された“０”ビットの数）を識別することにより、コンポーネントキャリア指示子（Component Carrier Indicator）またはセルインデックス（ＣＩ）のビット長が０ビットであるか２ビットであるかを判断することが、可能である。例えば、コンポーネントキャリア指示子のビット長が０ビットであるＤＣＩフォーマットは、コンポーネントキャリア指示子のビット長が２ビットであるＤＣＩフォーマットよりも、時系列で追加された“０”ビットを２ビット多く有している。
【００９５】
【表４】
2013507821.tif 000008
【００９６】
図７は、本発明の一実施形態に従って、基準コンポーネントキャリア（Reference CC）に対して０をナンバリングし、通信上で実際に構成されたコンポーネントキャリア（ＣＣ）の個数に基づいて他のコンポーネントキャリア（ＣＣ）に対して一括的にナンバリング（numbering）する方法を、図示している。
【００９７】
図７を参照すると、基準コンポーネントキャリア（Reference CC）は、コンポーネントキャリア（ＣＣ）インデックス番号０を付与され、構成されていないコンポーネントキャリアを除いて、構成されたコンポーネントキャリア（ＣＣ）のみが、一括的にナンバリングされる。
【００９８】
例えば、図７で、４個の構成されたコンポーネントキャリア（ＣＣ）を含むケースＡの場合、基準コンポーネントキャリア（Reference CC）は、最初にコンポーネントキャリア（ＣＣ）インデックス番号０を付与され、構成されていないコンポーネントキャリアを除いて、各コンポーネントキャリアに対して一括してＣＣ１乃至ＣＣ３がナンバリングされる。
【００９９】
また、図７で、３個の構成されたコンポーネントキャリアを含むケースＢの場合、基準コンポーネントキャリア（Reference CC）は、最初にコンポーネントキャリア（ＣＣ）番号０を付与され、構成されていないコンポーネントキャリアを除いて、各コンポーネントキャリアに対して一括してＣＣ １及びＣＣ ２がナンバリングされる。
【０１００】
表５から気付かれるように、構成されたコンポーネントキャリアの個数が１つの時は、コンポーネントキャリア指示子のための追加的なビットはない（０ビット）。また、構成されたコンポーネントキャリアの個数が２〜３個の時は、コンポーネントキャリア指示子（Component Carrier Indicator）またはセルインジケータ（ＣＩ）は、０ビットあるいは１ビットの追加的なビット（additional bit）を有してもよいし、構成されたコンポーネントキャリアの個数が４〜５個の時は、コンポーネントキャリア指示子（Component Carrier Indicator）またはセルインジケータ（ＣＩ）は、０ビットあるいは２ビットの追加的なビット（additional bit）を有しても良い。
【０１０１】
上述したように構成されたコンポーネントキャリア指示子（Component Carrier Indicator）またはセルインジケータ（ＣＩ）において、０ビットは、既存システムとの互換性を維持するために、コンポーネントキャリアのための追加ビットが省略される(即ち、コンポーネントキャリア指示子フィールドが無い)ＤＣＩフォーマットを有するコンポーネントキャリアと同一のコンポーネントキャリアにより、ダウンリンク割当やアップリンク承認のような制御情報を転送する場合に対応する。
【０１０２】
また、ＤＣＩフォーマットを有するコンポーネントキャリアとは異なるコンポーネントキャリアにより、ダウンリンク割当やアップリンク承認のような制御情報を転送する場合、３ビットを用いる表１の場合や２ビットを用いる表４の場合よりもビット数を削減するため、構成されたコンポーネントキャリアの個数に応じて、１ビットあるいは２ビットの追加的ビットが前記コンポーネントキャリア指示子として使用され、これにより、オーバーヘッドをより減らすことができる。
【０１０３】
この際、ＤＣＩフォーマット全体の全ビット数のうち、ゼロパディング（zero padding）として含まれるビット数（時系列中に追加された“０”ビットの数）を識別することにより、コンポーネントキャリア指示子（Component Carrier Indicator）またはセルインデックス（ＣＩ）のビット長が０ビットであるか２ビットであるかを判断することが、可能である。例えば、コンポーネントキャリア指示子のビット長が０ビットであるＤＣＩフォーマットは、コンポーネントキャリア指示子のビット長が２ビットであるＤＣＩフォーマットよりも、時系列で追加された“０”ビットを２ビット多く有しており、コンポーネントキャリア指示子のビット長が１ビットであるＤＣＩフォーマットは、コンポーネントキャリア指示子のビット長が２ビットであるＤＣＩフォーマットよりも、時系列で追加された“０”ビットを１ビット多く有している。
【０１０４】
【表５】
2013507821.tif 000009
【０１０５】
2013507821.tif 000010
【０１０６】
2013507821.tif 000011
【０１０７】
以上、図４乃至図７を参照して説明した通り、コンポーネントキャリア指示子（CC indicator）を構成して転送する方法によると、ＤＣＩフォーマットを有するコンポーネントキャリアと同一のコンポーネントキャリアを通じてダウンリンク割当（Downlink assignments）やアップリンク承認（Uplink grants）のような制御情報が転送される場合には、コンポーネントキャリア指示子（CC indicator）のための追加ビットがＤＣＩフォーマットにおいて省略され、これにより、既存システムとの互換性（backward-compatibility）を維持することができる。また、各ＤＣＩフォーマット中のコンポーネントキャリア指示子（CC indicator）のための追加ビットを最大１ビットまたは２ビットにまで減らすことにより、オーバーヘッドを減らすことができる。
【０１０８】
図４乃至図５を参照して上述された実施形態の場合、基準コンポーネントキャリア（reference CC）がコンポーネントキャリア指示子（CC Indicator）を有するＤＣＩフォーマットを含むコンポーネントキャリア（ＣＣ）であるとの前提に基づいて説明したが、基準コンポーネントキャリア（reference CC）は、アンカーコンポーネントキャリア（anchor CC）あるいは主コンポーネントキャリア（ＰＣＣ）であっても良い。
【０１０９】
また、図６乃至図７を参照して上述された実施形態の場合、基準コンポーネントキャリア（reference CC）がアンカーコンポーネントキャリア（anchor CC）あるいは主コンポーネントキャリア（ＰＣＣ）であるとの前提に基づいて説明したが、基準コンポーネントキャリア（reference CC）は、コンポーネントキャリア指示子（CC Indicator）の対象となるＤＣＩフォーマットが存在する該当コンポーネントキャリア（ＣＣ）であっても良い。
【０１１０】
一方、どの場合においても、基準コンポーネントキャリア（reference CC）がコンポーネントキャリア指示子を有するＤＣＩフォーマットを含むコンポートキャリアである場合、ＤＣＩフォーマットを含むキャリアコンポーネントの位置がＤＣＩフォーマット毎に異なり得る。即ち、ＤＣＩフォーマット毎に基準コンポーネントキャリア（reference CC）の位置が互いに異なることがあり得る。図４乃至図５に示される例のように、基準コンポーネントキャリア（reference CC）の位置に関わらず、基準コンポーネントキャリア（reference CC）は、固定的にナンバリングされても良い。
【０１１１】
また、基準コンポーネントキャリア（reference CC）がアンカーＣＣあるいは主コンポーネントキャリア（ＰＣＣ）である場合、アンカーＣＣあるいは主コンポーネントキャリア（ＰＣＣ）が変わらない限り、基準コンポーネントキャリア（reference CC）の位置は常に同一である。６乃至図７に示される実施形態におけるように、基準コンポーネントキャリア（reference CC）にはＣＣ番号０が最初に付与され、他のコンポーネントキャリアがナンバリングされても良い。
【０１１２】
勿論、コンポーネントキャリア指示子を有するＤＣＩフォーマットを含むコンポーネントキャリアだけでなく、アンカーＣＣ、上述された主コンポーネントキャリア（ＰＣＣ）、又は、多数のコンポーネントキャリアのうちの一般的に適用可能な特定基準となることができる何れのコンポーネントキャリアが、基準コンポーネントキャリア（reference CC）となり得る。そして、当該基準コンポーネントキャリアにより、図４乃至図７を参照して上述された実施形態におけるような、無線通信システムにおけるＤＣＩフォーマットのためのコンポーネントキャリア指示子を、構成して転送することができる。
【０１１３】
上記の実施形態は、コンポーネントキャリア指示子がＤＣＩフォーマットに含まれるとの前提に基づいているが、本発明の態様は、これに制限されない。例えば、このコンポーネントキャリア指示子は、制御領域（control region）とデータ領域（data region）とに分けられるサブフレームにおける制御領域中のどのチャンネルに含まれても良い。
【０１１４】
上記の実施形態において、特定の制御情報が対応するコンポーネントキャリアを多数のコンポーネントキャリアの中から識別するための０ビット又は２ビットの指示子情報は、制御チャンネルに割り当てる特定の制御情報に追加される。この時、当該指示子情報のビット数が０ビットであって、追加される指示子情報がないことが暗示される場合、前記特定制御情報は、特定の基準コンポーネントキャリアのための制御情報である。前記指示子情報のビット数が１ビット又は２ビットである場合、前記指示子情報は、前記特定制御情報が前記特定基準コンポーネントキャリアの以外の他のコンポーネントキャリアのための制御情報であることを、示す。しかしながら、本発明の態様は、これに限定されず、多様な変形が可能である。
【０１１５】
例えば、２つ以上のコンポーネントキャリアを使用する無線通信システムにおいて、特定制御情報が対応するコンポーネントキャリアを多数のコンポーネントキャリアのうちから識別するための０ビット乃至ｍビット（ｍは０より大きい自然数）の指示子情報が、特定制御情報に追加され、制御チャンネルに割り当てられる。この時、指示子情報のビット数が０ビットであって、追加される指示子情報がないことが暗示される場合、前記特定制御情報は、特定の基準コンポーネントキャリアのための制御情報である。前記指示子情報のビット数が０ビットより大きいがｍ以下である場合、前記指示子情報は、前記特定制御情報が前記特定基準コンポーネントキャリアの以外の他のコンポーネントキャリアのための制御情報であることを、示す。ここで、ｍは、上記実施形態のように２であっても良いし、２より小さいか大きい値であっても良い。
【０１１６】
即ち、制御情報に対応するコンポーネントキャリアであるかを識別するための指示子情報としてのｍビットにおけるｍが２より大きい場合、ｍは、３の値を有することができる。以下では、ｍが３である場合の例が、記述される。
【０１１７】
以下の説明は、基準コンポーネントキャリアがＰＣＣであり、基準コンポーネントキャリア以外の他のコンポーネントキャリアがＳＣＣであるとの前提に、基づいている。
【０１１８】
例えば、基地局とＵＥとの間に構成可能なコンポーネントキャリアの個数が最大５個である場合、当該５個のコンポーネントキャリアは、１個のＰＣｅｌｌ及び４個のＳＣｅｌｌを含んでも良い。もし、クロス搬送波スケジュールリング（cross carrier scheduling）が対応ユーザ装置に適用されて全てのサービングセルのＰＤＣＣＨがＰＣｅｌｌを通じて受信される場合、ＤＣＩのためのコンポーネントキャリア指示子は、下記表６に示されるように構成されても良い。
【０１１９】
【表６】
2013507821.tif 000012
【０１２０】
表６は、表５と実質的に同一である。
しかしながら、同一な場合には、コンポーネントキャリア指示子は、以下の表７に示されるように、指示子情報としての０または３ビットから構成されても良い。
【０１２１】
【表７】
2013507821.tif 000013
【０１２２】
また、基地局とＵＥとの間に構成可能なコンポーネントキャリアの個数が最大８個である場合、当該８個のコンポーネントキャリアは、１個のＰＣｅｌｌと７個のＳＣｅｌｌを含んでも良い。仮に、クロス搬送波スケジュールリング（cross carrier scheduling）が対応ユーザ装置に適用されて全てのサービングセルのＰＤＣＣＨがＰＣｅｌｌを通じて受信される場合、ＤＣＩのためのコンポーネントキャリア指示子は、表８に示されるように０または３ビットによって構成されても良い。
【０１２３】
【表８】
2013507821.tif 000014
【０１２４】
また、基地局とＵＥとの間に構成可能なコンポーネントキャリアの個数が最大９個である場合、当該９個のコンポーネントキャリアは、１個のＰＣｅｌｌと８個のＳＣｅｌｌを含んでも良い。仮に、クロス搬送波スケジュールリング（cross carrier scheduling）が対応ユーザ装置に適用されて全てのサービングセルのＰＤＣＣＨがＰＣｅｌｌを通じて受信される場合、ＤＣＩのためのコンポーネントキャリア指示子は、表９に示されるように０または３ビットによって構成されても良い。
【０１２５】
【表９】
2013507821.tif 000015
【０１２６】
ここで、表６乃至表９中におけるセルインデックス（ＣＩ）とコンポーネントキャリア指示子とのマッピングは、基地局とＵＥとの間に固定的に設定され得る。
【０１２７】
また、表６乃至表９中におけるセルインデックス（ＣＩ）とコンポーネント指示子とのマッピングの情報は、基地局から、ブロードキャスティング（broadcasting）チャンネルを介して、基地局からサービスを受ける全てのユーザ装置へ送信されて、これらユーザ端末に共通に適用されることができる。また、Ｌ３（ＲＲＣ）メッセージを通じて、前記マッピング情報は、全ての前記ユーザ装置に共通に適用されても良いし、各ユーザ装置に個別に適用されても良い。
【０１２８】
例えば、最大５個のコンポーネントキャリアを構成することができるユーザ装置は、表６による０または２ビットの指示子情報、または表７による０または３ビットのコンポーネントキャリア指示子情報をＲＲＣメッセージを通じて受信し、最大８個のＣＣを構成することができるユーザ装置は、表８による０または３ビットのコンポーネントキャリア指示子情報をＲＲＣメッセージを通じて受信することができる。また、最大９個のコンポーネントキャリアを構成することができるユーザ装置は、表９による０または３ビットのコンポーネントキャリア指示子情報をＲＲＣメッセージを通じて受信することができる。
【０１２９】
または、最大５個のコンポーネントキャリアを構成することができるユーザ装置が存在する場合、一部のユーザ装置は、表７のように情報を受信し、その以外のユーザ装置は、以下の表１０のように情報を受信することができる。
【０１３０】
【表１０】
2013507821.tif 000016
【０１３１】
図８は、本発明の一実施形態によるＰＤＣＣＨ構成方法を示す。
【０１３２】
図８を参照すると、基地局（及びスケジューラ）は、ユーザ装置に転送されるべき情報ペイロードフォーマット（Information payload format）に従って、ＰＤＣＣＨペイロードを構成する。ＰＤＣＣＨペイロードは、情報ペイロードフォーマットに応じた多様な長さを有する。情報ペイロードフォーマットは、ＤＣＩフォーマットでも良い。
【０１３３】
多数のコンポーネントキャリアを含む無線通信システムにおいて、情報ペイロードフォーマットがＤＣＩフォーマットである場合、特定のコンポーネントキャリア（ＣＣ Ｘ）は、当該特定のコンポーネントキャリアの制御情報の転送のためのＤＣＩフォーマット（DCI format X）を含んでも良く、他の特定のコンポーネントキャリア（ＣＣ ０）は、当該特定のコンポーネントキャリア（ＣＣ ０）及び他のコンポーネントキャリア（ＣＣ １）を含む多数のコンポーネントキャリアの制御情報の転送のためのＤＣＩフォーマット（DCI format A、 B）を含んでも良い。また、特定の１つのコンポーネントキャリアのＰＤＣＣＨが、全てのコンポーネントキャリアの制御情報の転送のための全てのＤＣＩフォーマットを含んでも良い。
【０１３４】
この際、各ＤＣＩフォーマットによって伝達される制御情報が対応するコンポーネントキャリア（ＣＣ）を多数のコンポーネントキャリア（ＣＣ）から識別するために、図４乃至図７を参照して上述したようなコンポーネントキャリア指示子を含まなくても良いし、表７乃至１０を参考して上述したような１ビット、２ビット又は３ビットのコンポーネントキャリア指示子を含んでも良い。
【０１３５】
ＤＣＩフォーマット全体のビットに対して時系列で“０”ビットを追加することによってゼロパディング（zero padding）する時、追加された“０”ビットの数は、コンポーネントキャリア指示子のビット長に応じて異なった値，即ち、０ビット，１ビット又は３ビットに決定される。
【０１３６】
ステップＳ１１０では、各ＰＤＣＣＨペイロードに、エラー検出（error detection）のための巡回冗長検査（Cyclic Redundancy Check：CRC）を付加する。ＣＲＣは、ユーザ装置と基地局との間のサービスの提供のために設定される用途（必要）に応じて割り当てられた識別情報（例えば、無線ネットワーク一時識別子（Radio Network Temporary Identifier:RNTI））又はＰＤＣＣＨが転送されるユーザ装置の特定情報により、マスクされても良い。
【０１３７】
ステップＳ１２０では、ＣＲＣが付加された制御情報は、チャンネルコーディングを施されて、符号化データを生成する。
【０１３８】
ステップＳ１３０では、ＰＤＣＣＨフォーマットに割り当てられたコントロールチャンネルエレメント（Control Channel Element）のグループレベルに応じた転送率マッチング（rate matching）を実行する。
【０１３９】
ステップＳ１４０では、符号化データは、変調されて変調シンボルを生成する。ステップＳ１５０では、変調シンボルを物理的な資源要素にマッピング（CCE to RE mapping）する。上記ＣＣＥのレベルは、転送される制御情報の重要度に応じて繰り返して転送され得る。
【０１４０】
図９は、本発明の一実施形態によるＰＤＣＣＨ処理を示すフローチャートである。
【０１４１】
図９を参照すると、ステップＳ２１０では、ユーザ装置１０は、物理的な資源要素をＣＣＥにデマッピング（CCE to RE demapping）する。ステップＳ２２０では、ユーザ装置１０は、自身がＰＤＣＣＨを受信すべきＣＣＥグループレベルを知らないので、自身の転送モードに従った参照ＤＣＩフォーマットに対応するペイロードが持つＣＣＥグループレベルを復調（Demodulation）する。
【０１４２】
ステップＳ２３０では、ユーザ装置１０は、ＣＣＥグループレベル及び対応するペイロードに従って、前記復調データの転送率デマッチング（rate dematching）を実行する。
【０１４３】
ステップＳ２４０では、ユーザ装置１０は、符号化されたデータに対してコードレートに応じてチャンネルデコーディングを実行するとともにＣＲＣをチェックして、エラーの発生を検出する。エラーが発生しなければ、ユーザ装置１０が自身のＰＤＣＣＨを検出したことが、暗示される。仮に、エラーが発生すれば、ユーザ装置１０は、他のＣＣＥグループレベルや、他のＤＣＩフォーマットに対し、ブラインドデコーディングをし続ける。
【０１４４】
ステップＳ２５０では、自身のＰＤＣＣＨを検出したユーザ装置１０は、デコーディングされたデータからＣＲＣを除去して、ユーザ装置１０に必要な制御情報を獲得する。そして、ユーザ装置１０は、制御情報に含まれたコンポーネントキャリアに対する指示子（インデックス）を確認した後、この制御情報が対応するコンポーネントキャリアを多数のコンポーネントキャリアの中から識
【０１４５】
この際、ユーザ装置１０は、ＤＣＩフォーマット全体のビット中においてゼロパディング（zero padding）として含まれるビットの数（時系列中につい追加される“０”ビットの数）を識別することにより、コンポーネントキャリアのビット長が表７乃至１０を参照して記述された０ビット、は１ビット、２ビット又は３ビットであるかどうかを、判断することができる。例えば、コンポーネントキャリア指示子のビット長が０ビットであるＤＣＩフォーマットは、コンポーネントキャリア指示子のビット長が夫々３ビット、２ビット、１ビットであるＤＣＩフォーマットよりも、時系列で追加された“０”のビット数として各々３ビット、２ビット、あるいは１ビット多く有している。
【０１４６】
この制御情報に含まれたダウンリンクスケジューリング割当（Downlink scheduling assignments）、アップリンクスケジューリング承認、及び電力制御命令（Power control commands）情報を用いて、コンポーネントキャリア指示子が識別したこれらコンポーネントキャリアのダウンリンクスケジューリング割当、アップリンクスケジューリング承認、及び電力制御などの機能を、実行する。
【０１４７】
以上、添付図面を参照して本発明の実施形態を上述したが、本発明の態様はこれに制限されない。
【０１４８】
図１０は、本明細書の一実施形態による制御情報を割り当てて送信する装置の構成を示すブロック図である。
【０１４９】
図１０に描かれた装置は、基地局、セル、基地局と結合する装置となることができる。この装置は、送信部１０１０、変調部１０２０、及び、制御部１０３０を含み、更に、コンポーネントキャリア指示子情報格納部１０４０を含む。
【０１５０】
図１０を参照すると、制御部１０３０は、特定の制御情報が対応するコンポーネントキャリアを複数のコンポーネントキャリアの中から識別して、上記コンポーネントキャリアを指示する０ビット乃至ｍビット（ｍは０より大きい整数）の識別情報を上記特定の制御情報に追加する。そして、変調部１０２０は、上記特定の制御情報を制御チャンネルにマッピングできるように変調して変調シンボルを生成し、送信部１０１０は、上記変調シンボルをユーザ装置に送信する。制御部１０３０に関連する動作等は、図８を参照して上述したところと同じである。
【０１５１】
図１０に描かれた転送装置は、制御部１０３０が前記識別情報を前記特定の制御情報に追加できるようにするために、表１乃至表１０を参照して記述された、前記コンポーネントキャリア指示子情報と少なくとも一つのコンポーネントキャリアとの間のマッピング情報を、格納するためのコンポーネントキャリア指示子情報格納部１０４０を、さらに含んでも良い。即ち、コンポーネントキャリア指示子情報格納部１０４０は、上記識別情報のビット長または上記ビットの内容によって指示されたコンポーネントキャリアに対する情報を、格納する。
【０１５２】
識別情報の長さまたは値に（内容）に応じて、該当識別情報が指示するコンポーネントキャリアが変わり得る。上記識別情報が０ビットまたはｍビット（ｍは０より大きい整数）のビット長を有する場合、上記識別情報を上記特定の制御情報に追加する過程で、ゼロパディングしたビット数を識別可能になる。
【０１５３】
そして、本発明の実施形態によると、上記制御チャンネルは物理ダウンリンク制御チャンネル（ＰＤＣＣＨ）であっても良く、上記特定の制御情報はＤＣＩフォーマット内に構成されても良く、上記識別情報は上記ＤＣＩフォーマットに対する追加ビットとして上記物理ダウンリンク制御チャンネル（ＰＤＣＣＨ）に割り当てられても良い。また、上記特定の基準コンポーネントキャリアは、上記識別情報が割り当てられる上記制御チャンネルが存在する該当コンポーネントキャリア、アンカーコンポーネントキャリア（anchor CC）、あるいは主コンポーネントキャリア（ＰＣＣ）であっても良い。
【０１５４】
制御部１０３０は、前記特定の制御情報によって識別されたコンポーネントキャリアに応じて、異なる識別情報を割り当てることができる。例えば、上記特定の制御情報が上記コンポーネントキャリアのうちの前記特定の基準コンポーネントキャリア以外のコンポーネントキャリアのための制御情報であると識別された場合、上記制御部１０３０は、０ビットの識別情報を前記特定の制御情報に追加しても良い。一方、上記特定制御情報が上記コンポーネントキャリアのうち、上記特定基準コンポーネントキャリアの以外の他のコンポーネントキャリアのための制御情報であることを識別する場合、上記制御部１０３０は、０ビットより大きいがｍビットより小さいサイズの識別情報を前記特定の制御情報に追加しても良い。
【０１５５】
識別情報とコンポーネントキャリアとの関係をより詳細に説明すると、次の通りである。即ち、上記ｍが２であって上記識別情報のビット数が１ビットまたは２ビットである場合、上記識別情報は、上記特定の制御情報が上記コンポーネントキャリアのうち、特定の基準コンポーネントキャリアの以外のコンポーネントキャリアのための制御情報であることを示す。
【０１５６】
また、上記識別情報のビット数が２ビットである場合、上記特定の基準コンポーネントキャリアにコンポーネントキャリアインデックス番号０が付与され、構成されたコンポーネントキャリアの個数と位置に関わらず上記基準コンポーネントキャリア以外の全コンポーネントキャリアに対して一括的にナンバリング（numbering）がなされた状況では、上記識別情報のビット値が各々“００”、“０１”、“１０”、“１１”であれば、上記識別情報は、上記制御情報がコンポーネントキャリアインデックス番号が各々１、２、３、４のコンポーネントキャリアのための制御情報であることを示す。
【０１５７】
一方、構成されていないコンポーネントキャリアを除いて、構成されたコンポーネントキャリアに対してのみが一括的にナンバリングされる。構成されたコンポーネントキャリア（ＣＣ）の個数が２〜３個である場合、上記識別情報は、０ビットまたは１ビットの長さを有する。また、構成されたコンポーネントキャリア（ＣＣ）の個数が４〜５個である場合、上記識別情報は、０ビットまたは２ビットの長さを有し、０ビットが設定されることは、構成されたコンポーネントキャリアがＰＣｅｌｌに対応するものであることを示す。また、２ビットが設定される場合、４個のコンポーネントキャリアがＳＣｅｌｌに対応するものであることを示す。
【０１５８】
また、ｍが３であって上記識別情報のビット数が３ビットである場合、上記識別情報は、上記特定の制御情報が上記コンポーネントキャリアのうち特定の基準コンポーネントキャリアの以外の他のコンポーネントキャリアのための制御情報であることを示す。この際、上記識別情報は、８個のＳＣｅｌｌに対応するコンポーネントキャリアに対する識別情報に相当し、該当する各識別情報要素は、対応するＳＣｅｌｌのセルインデックスを示す。
【０１５９】
本明細書の一実施形態によれば、上記特定の基準コンポーネントキャリアは、主サービングセル（ＰＣｅｌｌ）を構成するコンポーネントキャリアであるＰＣＣに相当しても良いし、上記特定の基準コンポーネントキャリア以外のコンポーネントキャリアは、副サービングセル（ＳＣｅｌｌ）を構成するＳＣＣであっても良い。
【０１６０】
図１１は、本明細書の一実施形態による制御情報を受信する装置の構成を示すブロック図である。
【０１６１】
図１１に示される装置は、ユーザ装置又はユーザ装置に接続された装置であっても良い。当該装置は、受信部１１１０、復調部１１２０、及び制御部１１３０を含み、更に、コンポーネントキャリア指示子情報格納部１１４０を含む。
【０１６２】
図１１を参照すると、受信部１１１０は、基地局又はセルからの変調シンボルを受信し、復調部１１２０は、上記変調シンボルを復調することにより制御チャンネルにマッピングされた特定の制御情報を抽出する。そして、制御部１１３０は、上記特定の制御情報から、コンポーネントキャリアを示す０ビット乃至ｍビット（ｍは０より大きい整数）の識別情報を抽出して、多数のコンポーネントキャリアから、上記特定の制御情報が対応するコンポーネントキャリアを識別する。前記変調シンボルの復調と関連した演算は、図９を参照して上述したものと同様である。また、図１１に示された受信装置は、制御部１１３０が識別情報を抽出して、多数のコンポーネントキャリアの中から上記特定の制御情報が対応するコンポーネントキャリアを識別することを可能とするために、表１乃至表１０を参照して記述されたコンポーネントキャリア指示子情報と少なくとも一つのコンポーネントキャリアとの間のマッピング情報を格納するためのコンポーネントキャリア指示子情報格納部１１４０を、更に含んでも良い。即ち、コンポーネントキャリア指示子情報格納部１１４０は、上記識別情報のビット長または上記識別情報によって示されるコンポーネントキャリアに対する情報を、格納する。
【０１６３】
上記識別情報の長さまたは値に（内容）に応じて、当該識別情報が指示するコンポーネントキャリアが変わっても良い。上記識別情報が０ビットまたはｍビット（ｍは０より大きい整数）の長さを有する場合、上記識別情報を上記特定の制御情報に追加する処理において、新たにゼロパディングされたビット数を識別することが可能になる。そして、本発明の実施形態によると、上記制御チャンネルは物理ダウンリンク制御チャンネル（ＰＤＣＣＨ）であっても良いし、上記特定の制御情報はＤＣＩフォーマットで構成されても良いし、上記識別情報は上記ＤＣＩフォーマットに対する追加ビットとして上記物理ダウンリンク制御チャンネル（ＰＤＣＣＨ）に割り当てられても良い。また、上記特定の基準コンポーネントキャリアは、上記識別情報が割り当てられる上記制御チャンネルを含むコンポーネントキャリアでも、アンカーコンポーネントキャリア（anchor CC）でも、主コンポーネントキャリア（ＰＣＣ）でも良い。
【０１６４】
制御部１１３０は、上記特定の制御情報によって識別されるコンポーネントキャリアに応じて、異なる識別情報を異に割り当てることができる。
【０１６５】
即ち、制御部１１３０が抽出した上記識別情報のビット数が０ビットである場合、上記制御部１１３０は、追加された識別情報がなく、上記特定の制御情報が上記コンポーネントキャリアのうち、特定の基準コンポーネントキャリアのための制御情報に対応していると、判断する。一方、上記識別情報のビット数が０ビットより大きく、ｍより小さい場合、制御部１１３０は、上記特定の制御情報が上記多数のコンポーネントキャリアのうち、上記特定の基準コンポーネントキャリアの以外の他のコンポーネントキャリアのための制御情報であると、判断する。この際、制御部１１３０は、抽出した識別情報のビット数を識別することにより、設定されたコンポーネントキャリアを識別する。即ち、設定されたビットが０の場合、制御部１１３０は、設定されたＳＣｅｌｌがなく、ＰＣｅｌｌのみが存在することを、確認する。例えば、ビット数が３である場合、８個のＳＣｅｌｌに対応するコンポーネントキャリアが存在することが、確認される。この際、上記３ビットによって定義された値が、制御情報を転送する各ＳＣｅｌｌのセルインデックスを示す。
【０１６６】
より詳細に説明すると、上記ｍが２であって、上記識別情報のビット数が１ビットまたは２ビットである場合、上記識別情報は、上記特定の制御情報が上記多数のコンポーネントキャリアのうち、特定の基準コンポーネントキャリア以外のコンポーネントキャリアのための制御情報であることを、示す。この際、上記識別情報は、４個のＳＣｅｌｌに対応するコンポーネントキャリアに対する識別情報であり、夫々の対応する識別情報要素は、対応するＳＣｅｌｌのセルインデックスを示す。
【０１６７】
また、上記識別情報のビット数が２ビットである場合、上記特定の基準コンポーネントキャリアにコンポーネントキャリアインデックス番号０が付与され、構成されたコンポーネントキャリアの個数と位置に関わらず上記基準コンポーネントキャリア以外の全コンポーネントキャリアに対して一括的にナンバリング（numbering）がなされた状況では、上記識別情報のビット値が各々“００”、“０１”、“１０”、“１１”であれば、上記識別情報は、上記制御情報がコンポーネントキャリアインデックス番号が各々１、２、３、４のコンポーネントキャリアのための制御情報であることを示す。
【０１６８】
ここで、構成されていないコンポーネントキャリアを除いて、構成されたコンポーネントキャリアのみが一括的にナンバリングされる。、構成されたコンポーネントキャリア（ＣＣ）の個数が２〜３個である場合、上記識別情報は、０ビットまたは１ビットの長さを有する。また、構成されたコンポーネントキャリア（ＣＣ）の個数が４〜５個である場合、上記識別情報は０ビットまたは２ビットの長さを有し、０ビットが設定されることは、構成されたコンポートキャリアがＰＣｅｌｌに対応するものであることを示す。また、２ビットが設定されることは、４個のコンポーネントキャリアがＳＣｅｌｌに対応するものであることを示す。
【０１６９】
また、ｍが３であって、上記識別情報のビット数が３ビットである場合、上記識別情報は、上記特定の制御情報が上記コンポーネントキャリアのうち特定の基準コンポーネントキャリアの以外の他のコンポーネントキャリアのための制御情報であることを示す。この際、上記識別情報は、８個のＳＣｅｌｌに対応するコンポーネントキャリアに対する識別情報に相当し、該当する各識別情報要素は、対応するＳＣｅｌｌのセルインデックスを示す。また、上記特定の基準コンポーネントキャリアは、主サービングセル（ＰＣｅｌｌ）を構成するコンポーネントキャリアであるＰＣＣに相当しても良いし、上記特定の基準コンポーネントキャリア以外のコンポーネントキャリアは、副サービングセル（ＳＣｅｌｌ）を構成するＳＣＣであっても良い。
【０１７０】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【０１７１】
関連発明の交差参照
【０１７２】
本出願は３５Ｕ．Ｓ．Ｃ．§１９（ａ）の利益を享有しながら２００９年１０月１２日付で出願された韓国特許出願第１０−２００９−００９６９８３号、及び２００９年０９月１５日付で出願された韓国特許出願第１０−２００９−００９０８０３号の優先権として主張し、上記の韓国出願は参照文献として本書面に統合される。
【図１】
2013507821.tif 000017
【図２】
2013507821.tif 000018
【図３】
2013507821.tif 000019
【図４】
2013507821.tif 000020
【図５】
2013507821.tif 000021
【図６】
2013507821.tif 000022
【図７】
2013507821.tif 000023
【図８】
2013507821.tif 000024
【図９】
2013507821.tif 000025
【図１０】
2013507821.tif 000026
【図１１】
2013507821.tif 000027
【国際調査報告】
2013507821.tif 000028
2013507821.tif 000029